(57)【要約】【課題】閲覧した権利情報に対する適切な評価情報が早期に獲得でき、各閲覧者の閲覧目的に沿って迅速な閲覧が可能な閲覧システムを提供する。【解決手段】知的財産に関する複数の権利情報と、一または複数の前記権利情報毎にアクセス可能な閲覧者と前記権利情報に対する評価情報の入力の要否を規定する閲覧属性が前記閲覧者毎に設定された回覧情報テーブル２５を備えたデータベース２と、前記権利情報の閲覧要求を出力する閲覧要求部３１と前記権利情報の閲覧履歴を管理する閲覧履歴管理部３２を備えたデータベースサーバ３と、前記閲覧属性が要に設定されている閲覧者にのみ前記評価情報が入力可能な評価用閲覧操作画面を表示する閲覧処理部４１と前記閲覧履歴管理部３２に閲覧終了通知を出力する閲覧進捗管理部４２を備えたクライアント４と、を接続するネットワーク７を備えた閲覧システム１。【選択図】図１
2009276885.tif 000002
【特許請求の範囲】
【請求項１】
知的財産に関する複数の権利情報が蓄積され、一または複数の前記権利情報毎にアクセス可能な閲覧者が設定された回覧情報テーブルを備えるデータベースと、前記回覧情報テーブルに設定された閲覧者のクライアントに前記権利情報の閲覧要求を出力する閲覧要求部と、前記閲覧要求に対する閲覧者の閲覧履歴を管理する閲覧履歴管理部を備えたデータベースサーバと、
前記閲覧要求部から入力された閲覧要求に基づいて、前記データベースに蓄積された前記権利情報を閲覧操作し、各権利情報に対する評価情報を入力するための閲覧操作画面を表示する閲覧処理部と、当該閲覧操作画面を介した閲覧終了入力操作に基づいて前記閲覧履歴管理部に閲覧終了通知を出力する閲覧進捗管理部を備えたクライアントと、
前記データベースサーバと前記クライアントを接続するネットワークと、
を備えた閲覧システムであって、
前記回覧情報テーブルに前記権利情報に対する評価情報の入力の要否を規定する閲覧属性が閲覧者毎に設定され、前記閲覧処理部は前記閲覧属性が要に設定されている閲覧者にのみ前記評価情報が入力可能な評価用閲覧操作画面を表示する閲覧システム。
【請求項２】
知的財産に関する複数の権利情報が蓄積され、一または複数の前記権利情報毎にアクセス可能な閲覧者が設定された回覧情報テーブルを備えるデータベースと、前記回覧情報テーブルに設定された閲覧者のクライアントに前記権利情報の閲覧要求を出力する閲覧要求部と、前記閲覧要求に対する閲覧者の閲覧履歴を管理する閲覧履歴管理部と、前記閲覧要求部からの閲覧要求に基づいて、前記データベースに蓄積された前記権利情報を閲覧操作し、各権利情報に対する評価情報を入力するための閲覧操作画面を生成する閲覧処理部と、当該閲覧操作画面を介した閲覧終了入力操作に基づいて前記閲覧履歴管理部に閲覧終了通知を出力する閲覧進捗管理部を備えたデータベースサーバと、
前記閲覧処理部により生成された閲覧操作画面を表示するとともに、当該閲覧操作画面を介した閲覧終了入力操作がなされたことを前記閲覧進捗管理部に出力する入出力処理部を備えたクライアントと、
前記データベースサーバと前記クライアントを接続するネットワークと、
を備えた閲覧システムであって、
前記回覧情報テーブルに前記権利情報に対する評価情報の入力の要否を規定する閲覧属性が閲覧者毎に設定され、前記閲覧処理部は前記閲覧属性が要に設定されている閲覧者にのみ前記評価情報が入力可能な評価用閲覧操作画面を表示する閲覧システム。
【請求項３】
前記閲覧進捗管理部は、前記閲覧属性が要に設定されている閲覧者に対して、前記評価情報の入力完了を条件に前記閲覧終了通知を出力する請求項１または２記載の閲覧システム。
【請求項４】
前記評価情報が前記権利情報に対する重要性のランクデータである請求項１から３の何れかに記載の閲覧システム。
【請求項５】
前記評価情報に前記権利情報に対する評価文書データが含まれる請求項４記載の閲覧システム。
【請求項６】
前記閲覧処理部は、前記閲覧属性に基づいて閲覧者に異なる閲覧操作画面を表示するように構成されている請求項１から５の何れかに記載の閲覧システム。
【請求項７】
前記閲覧処理部は、少なくとも前記閲覧属性が要に設定されている閲覧者に対して、前記閲覧要求に含まれる権利情報のうち、前記閲覧終了通知が未出力の権利情報を一覧表示する一覧表示画面と、前記一覧表示画面から選択された権利情報毎に、書誌事項及び権利の内容を表示可能な詳細情報表示欄と、前記評価情報の入力欄、及び閲覧終了入力部を備えた詳細表示画面を表示するように構成されている請求項１から６の何れかに記載の閲覧システム。
【請求項８】
前記閲覧処理部は、少なくとも前記閲覧属性が否に設定されている閲覧者に対して、前記閲覧要求に含まれる複数の権利情報の書誌事項及び要約を表示する概要表示欄と、前記概要表示欄に表示された複数の権利情報を一括して閲覧終了操作する閲覧終了入力部を備えた概要表示画面を表示するように構成されている請求項１から７の何れかに記載の閲覧システム。
【請求項９】
前記閲覧履歴管理部により管理された閲覧履歴を表示する履歴画面表示処理部を備えた管理者用のクライアントが前記ネットワークに接続され、
前記履歴画面表示処理部は、権利情報毎に、閲覧者による閲覧終了の入力時期と前記ランクデータを表示する閲覧履歴表示欄と、管理者による評価情報入力欄を備えた閲覧履歴表示画面を表示し、前記評価情報入力欄に各閲覧者によるランクデータのうち最大のランクデータを初期表示するように構成されている請求項１から８の何れかに記載の閲覧システム。
【請求項１０】
前記管理者による評価情報入力欄に、何れかの閲覧者による評価文書データの入力の有無の識別情報が表示されるように構成されている請求項９記載の閲覧システム。
【請求項１１】
請求項１から１０の何れかに記載の閲覧システムに接続可能なデータベースサーバ。
【請求項１２】
請求項１から１０の何れかに記載の閲覧システムに接続可能な閲覧者用のクライアント。
【請求項１３】
請求項９または１０記載の閲覧システムに接続可能な管理者用のクライアント。
【発明の詳細な説明】
【技術分野】
【０００１】
本発明は、第三者の特許、実用新案、意匠等の電子公報を、社内の技術担当者や営業担当者等に迅速に周知する閲覧システムに関する。
【背景技術】
【０００２】
第三者が所有する知的財産権の侵害を回避するとともに、第三者の技術開発動向を把握した上で、効果的な知的財産権を取得して、優位な競争力を確保するために、製品を開発、製造、販売等する担当者に第三者及び自社の知的財産権に関する情報を周知する必要がある。
【０００３】
そのため、特許文献１や特許文献２には、知的財産に関する複数の権利情報が蓄積され、一または複数の前記権利情報毎にアクセス可能な閲覧者が設定された回覧情報テーブルを備えるデータベースと、前記回覧情報テーブルに設定された閲覧者のクライアントに前記権利情報の閲覧要求を出力する閲覧要求部と、前記閲覧要求に対する閲覧者の閲覧履歴を管理する閲覧履歴管理部を備えたデータベースサーバと、前記閲覧要求部から入力された閲覧要求に基づいて、前記データベースに蓄積された前記権利情報を閲覧操作し、各権利情報に対する評価情報を入力するための閲覧操作画面を表示する閲覧処理部と、当該閲覧操作画面を介した閲覧終了入力操作に基づいて前記閲覧履歴管理部に閲覧終了通知を出力する閲覧進捗管理部を備えたクライアントと、前記データベースサーバと前記クライアントを接続するネットワークと、を備えた閲覧システムが提案されている。
【０００４】
上述した閲覧システムでは、データベースサーバの閲覧要求部から閲覧者のクライアントに閲覧要求の一例である電子メールが配信され、当該電子メールを受信したクライアントからデータベースサーバに格納されている権利情報を閲覧することにより、閲覧者が権利の内容を迅速に把握できるように構成されている。
【０００５】
そして、クライアントの閲覧処理部によって表示された閲覧操作画面を閲覧者が操作することにより、データベースに蓄積された権利情報の詳細が表示され、閲覧者が重要と判断する権利情報に対して、当該閲覧操作画面に設定された重要度を示す評価情報の入力欄に重要度を入力し、且つ、閲覧終了入力操作によって、閲覧進捗管理部が当該評価情報をデータベースサーバに出力するように構成されている。
【０００６】
データベースサーバの閲覧履歴管理部では、各閲覧者の閲覧進捗と各閲覧者が入力した評価情報が管理され、知的財産の管理者が各権利情報の閲覧履歴を参照することにより、必要な対処が取れるようになる。
【０００７】
例えば、重要度が高いと判断された権利情報に対して、公知文献調査や設計変更等の適切な対策が取れるようになる。
【特許文献１】特開平１１−１８４８６９号公報
【特許文献２】特開２００１−３３７９６６号公報
【発明の開示】
【発明が解決しようとする課題】
【０００８】
上述した従来の閲覧システムでは、各権利情報に関連する部署の技術者のみならず、企画担当者、営業担当者、経営者等の複数の閲覧者のクライアントに閲覧要求が出力され、閲覧者の夫々が評価情報の入力欄に評価情報を入力しなければ、閲覧進捗管理部が閲覧終了入力操作を受け付けないように構成されていた。
【０００９】
技術者は開発中の製品が第三者の権利を侵害しないように、また、権利情報に基づいて改良技術を開発する動機付け等のために閲覧し、企画担当者は第三者の技術動向を把握して競争力がある製品を企画する等のために閲覧し、経営者は第三者の技術動向あるいは出願動向を把握して経営戦略を立案する等のために閲覧するように閲覧者が設定されていたのである。
【００１０】
しかし、閲覧者により閲覧終了入力がなされないと、閲覧未終了の権利情報に対する管理者の対処が遅延し、第三者の権利情報を迅速に周知して、効率的な対策を採るという閲覧システムの目的が損なわれる場合があった。
【００１１】
本願発明者らが、同システムの運用を通して、このような遅延が生じる原因を鋭意探求した結果、閲覧者が入力すべき評価情報が判断できない場合に閲覧が終了できず、悪戯に時間が経過することが一因にあるということが判明した。例えば、特許文献であれば、技術に精通しない営業担当者が適切な評価情報を入力するのが困難な場合も生じるのである。
【００１２】
そこで、適切な評価情報を入力可能な技術者に閲覧対象者を絞り込むと、担当部所間での意思の疎通が図れず、また、夫々の閲覧目的が達成できなくなるという問題が生じる。
【００１３】
本発明の目的は、上述の従来欠点に鑑み、閲覧した権利情報に対する適切な評価情報が早期に獲得でき、各閲覧者の閲覧目的に沿って迅速な閲覧が可能な閲覧システムを提供する点にある。
【課題を解決するための手段】
【００１４】
上述の目的を達成するため、本発明による閲覧システムの第一の特徴構成は、特許請求の範囲の書類の請求項１に記載した通り、知的財産に関する複数の権利情報が蓄積され、一または複数の前記権利情報毎にアクセス可能な閲覧者が設定された回覧情報テーブルを備えるデータベースと、前記回覧情報テーブルに設定された閲覧者のクライアントに前記権利情報の閲覧要求を出力する閲覧要求部と、前記閲覧要求に対する閲覧者の閲覧履歴を管理する閲覧履歴管理部を備えたデータベースサーバと、前記閲覧要求部から入力された閲覧要求に基づいて、前記データベースに蓄積された前記権利情報を閲覧操作し、各権利情報に対する評価情報を入力するための閲覧操作画面を表示する閲覧処理部と、当該閲覧操作画面を介した閲覧終了入力操作に基づいて前記閲覧履歴管理部に閲覧終了通知を出力する閲覧進捗管理部を備えたクライアントと、前記データベースサーバと前記クライアントを接続するネットワークと、を備えた閲覧システムであって、前記回覧情報テーブルに前記権利情報に対する評価情報の入力の要否を規定する閲覧属性が閲覧者毎に設定され、前記閲覧処理部は前記閲覧属性が要に設定されている閲覧者にのみ前記評価情報が入力可能な評価用閲覧操作画面を表示する点にある。
【００１５】
上述の構成によれば、前記閲覧属性が要に設定されている閲覧者にのみ前記評価情報が入力可能な評価用閲覧操作画面が表示されるため、適切な評価情報を入力可能な技術者に限定して、権利情報の評価情報の入力を要求することができるようになる。さらに、技術に精通しない営業担当者等が適切な評価情報を入力できないため、閲覧が終了されずに回覧の遅延が生じることを回避することができるようになる。
【００１６】
同第二の特徴構成は、同請求項２に記載した通り、知的財産に関する複数の権利情報が蓄積され、一または複数の前記権利情報毎にアクセス可能な閲覧者が設定された回覧情報テーブルを備えるデータベースと、前記回覧情報テーブルに設定された閲覧者のクライアントに前記権利情報の閲覧要求を出力する閲覧要求部と、前記閲覧要求に対する閲覧者の閲覧履歴を管理する閲覧履歴管理部と、前記閲覧要求部からの閲覧要求に基づいて、前記データベースに蓄積された前記権利情報を閲覧操作し、各権利情報に対する評価情報を入力するための閲覧操作画面を生成する閲覧処理部と、当該閲覧操作画面を介した閲覧終了入力操作に基づいて前記閲覧履歴管理部に閲覧終了通知を出力する閲覧進捗管理部を備えたデータベースサーバと、前記閲覧処理部により生成された閲覧操作画面を表示するとともに、当該閲覧操作画面を介した閲覧終了入力操作がなされたことを前記閲覧進捗管理部に出力する入出力処理部を備えたクライアントと、前記データベースサーバと前記クライアントを接続するネットワークと、を備えた閲覧システムであって、前記回覧情報テーブルに前記権利情報に対する評価情報の入力の要否を規定する閲覧属性が閲覧者毎に設定され、前記閲覧処理部は前記閲覧属性が要に設定されている閲覧者にのみ前記評価情報が入力可能な評価用閲覧操作画面を表示する点にある。
【００１７】
上述の構成によれば、サーバ側に備えた閲覧処理部及び閲覧進捗管理部に従って処理する入出力処理部をクライアント側に設けることにより、第一の特徴構成と同様の機能を実現しながらも、クライアント側の処理負担を軽減することができる。
【００１８】
同第三の特徴構成は、同請求項３に記載した通り、上述の第一または第二の特徴構成に加えて、前記閲覧進捗管理部は、前記閲覧属性が要に設定されている閲覧者に対して、前記評価情報の入力完了を条件に前記閲覧終了通知を出力する点にある。
【００１９】
上述の構成によれば、前記閲覧属性が要に設定されている閲覧者による評価情報の入力漏れを回避することができるようになる。
【００２０】
同第四の特徴構成は、同請求項４に記載した通り、上述の第一から第三の何れかの特徴構成に加えて、前記評価情報が前記権利情報に対する重要性のランクデータである点にある。
【００２１】
上述の構成によれば、技術に精通した技術者に評価情報の入力を要求することにより、権利情報に対する重要性のランクデータの技術的な信頼性が高まるようになる。
【００２２】
同第五の特徴構成は、同請求項５に記載した通り、上述の第四の特徴構成に加えて、前記評価情報に前記権利情報に対する評価文書データが含まれる点にある。
【００２３】
上述の構成によれば、権利情報に対する評価情報の根拠や、権利情報を評価する場合の着目点などを評価文書に含め、評価文書を権利情報に対する付加情報として活用することにより、回覧者間での意思の疎通が図れるようになる。
【００２４】
同第六の特徴構成は、同請求項６に記載した通り、上述の第一から第五の何れかの特徴構成に加えて、前記閲覧処理部は、前記閲覧属性に基づいて閲覧者に異なる閲覧操作画面を表示するように構成されている点にある。
【００２５】
上述の構成によれば、技術に精通しない営業担当者に対しては、評価情報の入力が不要な権利情報の閲覧操作のみが許可された閲覧操作画面を提供することができる。したがって、評価情報の入力ができないため、権利情報の回覧に悪戯に時間が経過することを回避することができるようになる。さらに、権利情報を閲覧しないことによって、担当部所間での意思の疎通が図れないことを、回避することができるようになる。
【００２６】
同第七の特徴構成は、同請求項７に記載した通り、上述の第一から第六の何れかの特徴構成に加えて、前記閲覧処理部は、少なくとも前記閲覧属性が要に設定されている閲覧者に対して、前記閲覧要求に含まれる権利情報のうち、前記閲覧終了通知が未出力の権利情報を一覧表示する一覧表示画面と、前記一覧表示画面から選択された権利情報毎に、書誌事項及び権利の内容を表示可能な詳細情報表示欄と、前記評価情報の入力欄、及び閲覧終了入力部を備えた詳細表示画面を表示するように構成されている点にある。
【００２７】
上述の構成によれば、閲覧者は、一覧表示画面を利用して、評価が終了していない権利情報を即座に把握し、評価情報の入力作業の計画を立てることができるようになる。さらに、詳細表示画面を利用して、権利情報の詳細情報を閲覧しながら同画面内で評価入力操作を行うことができるため、閲覧した権利情報に対する評価情報の入力操作を、迅速に、あるいは正確に実施することができるようになる。
【００２８】
同第八の特徴構成は、同請求項７に記載した通り、上述の第一から第七の何れかの特徴構成に加えて、前記閲覧処理部は、少なくとも前記閲覧属性が否に設定されている閲覧者に対して、前記閲覧要求に含まれる複数の権利情報の書誌事項及び要約を表示する概要表示欄と、前記概要表示欄に表示された複数の権利情報を一括して閲覧終了操作する閲覧終了入力部を備えた概要表示画面を表示するように構成されている点にある。
【００２９】
上述の構成によれば、権利情報の評価入力を要求されていない閲覧者は、概要表示画面を利用することにより、複数の画面を操作する手間をかけることなく、複数の権利情報の概要を閲覧することができるため、閲覧作業を迅速に終了することができるようになる。
【００３０】
同第九の特徴構成は、同請求項９に記載した通り、上述の第一から第八の何れかの特徴構成に加えて、前記閲覧履歴管理部により管理された閲覧履歴を表示する履歴画面表示処理部を備えた管理者用のクライアントが前記ネットワークに接続され、前記履歴画面表示処理部は、権利情報毎に、閲覧者による閲覧終了の入力時期と前記ランクデータを表示する閲覧履歴表示欄と、管理者による評価情報入力欄を備えた閲覧履歴表示画面を表示し、前記評価情報入力欄に各閲覧者によるランクデータのうち最大のランクデータを初期表示するように構成されている点にある。
【００３１】
上述の構成によれば、管理者は、閲覧履歴表示画面を利用することにより、複数の画面を操作する手間をかけることなく、複数の閲覧履歴と複数の評価情報を把握することができるようになる。したがって、たとえば、閲覧者間で重要性の評価に相違があった場合は、当該評価者に評価の根拠をヒアリングするなどの対処が即座に行えるようになる。さらに、初期表示のランクデータを利用して、自社に大きな影響のある権利情報から順に対処することができるようになる。
【００３２】
同第十の特徴構成は、同請求項１０に記載した通り、上述の第九の特徴構成に加えて、前記管理者による評価情報入力欄に、何れかの閲覧者による評価文書データの入力の有無の識別情報が表示されるように構成されている点にある。
【００３３】
上述の構成によれば、管理者は、評価文書の有無を即座に確認することができるようになる。したがって、評価文書の入力があった場合は、当該評価文書の内容から権利情報に関連する情報を入手し、対処の実施に活用することができるようになる。
【００３４】
同第十一の特徴構成は、同請求項１１に記載した通り、前記データベースサーバが、上述の第一から第九の特徴構成に組み込み可能な点にある。
【００３５】
上記構成によれば、前記第一から第九の特徴構成の作用、ならびに効果を有することができるようになる。
【００３６】
同第十二の特徴構成は、同請求項１２に記載した通り、前記閲覧者用のクライアントが、上述の第一から第十の特徴構成に組み込み可能な点にある。
【００３７】
上記構成によれば、前記第一から第十の特徴構成の作用、ならびに効果を有することができるようになる。
【００３８】
同第十三の特徴構成は、同請求項１３に記載した通り、前記管理者用のクライアントが、上述の第九または第十の特徴構成に組み込み可能な点にある。
【００３９】
上記構成によれば、前記第八または第九の特徴構成の作用、ならびに効果を有することができるようになる。
【発明の効果】
【００４０】
以上説明した通り、本発明によれば閲覧した権利情報に対する適切な評価情報が早期に獲得でき、各閲覧者の閲覧目的に沿って迅速な閲覧が可能な閲覧システムを提供することができるようになった。
【発明を実施するための最良の形態】
【００４１】
以下に本発明による閲覧システムを説明する。
【００４２】
図１に示すように、閲覧システム１は、知的財産に関する複数の権利情報が蓄積されたデータベース２を管理するデータベースサーバコンピュータ３（以下、「サーバ」と記す。）と、データベース２に蓄積された権利情報を閲覧するためのクライアントコンピュータ４（以下、「閲覧クライアント」と記す。）と、サーバ３で管理されるデータベースの更新処理や各種の環境設定処理を行なう知的財産情報管理用のクライアントコンピュータ５（以下、「管理クライアント」と記す。）と、定期的に発行される特許公報等の電子情報が記憶されたＣＤ−ＲＯＭ等のメディアから、必要な権利情報をスクリーニングする検索用コンピュータ６が、ネットワーク７に接続されて構成されている。
【００４３】
検索用コンピュータ６は、複数枚のＣＤ−ＲＯＭ公報を装着可能なメディアドライブ６２と、特定の技術分野毎に設定された検索式に基づいて該当する特許公報等の権利情報を抽出する検索実行部６１を備えている。
【００４４】
検索実行部６１は、検索式の設定入力をするための検索実行画面Ｗ６１１と、検索実行画面Ｗ６１１の入力操作に基づいて、メディアドライブ６２に装着されたＣＤ−ＲＯＭ公報から、該当する特許公報等の権利情報を抽出し、編集可能な電子データを出力する処理を実現する検索実行部プログラムＳ６１を備えている。
【００４５】
管理クライアント５は、検索用コンピュータ６で抽出した特許公報等の権利情報の電子データを回覧可能に編集し、データベース２に当該編集された電子データを登録する文書登録部５１を備えている。
【００４６】
文書登録部５１は、検索用コンピュータ６で抽出した特許公報等の権利情報の電子データから、取り込む対象となる電子データを指定操作するデータ取込画面Ｗ５１１と、取り込んだ電子データを回覧可能に編集操作し、データベース２に登録操作するためのデータ編集画面Ｗ５１２を備えている。さらに、画面の表示処理、あるいは、画面の入力操作に基づいた処理を実行する文書登録部プログラムＳ５１を備えている。
【００４７】
データベース２は、閲覧に対する回答期限や件名などの権利情報を識別可能に管理するための情報が、検索用コンピュータ６で抽出した特許公報等の権利情報の電子データと組み合わせて設定される権利情報テーブルＤ２１と、閲覧者を識別する情報が設定された閲覧者情報テーブルＤ２２と、たとえば、電子メールの個人別のメールボックスフォルダ等のように、閲覧者個別に配信される情報が設定される閲覧者個別情報テーブルＤ２３と、権利情報毎に閲覧履歴の詳細情報が設定される閲覧履歴情報テーブルＤ２４と、一または複数の権利情報毎にアクセス可能な閲覧者が設定された回覧情報テーブルＤ２５を備えている。
【００４８】
サーバ３は、データベース２に備えられたデータテーブルのデータにアクセス可能なデータベースインタフェース３３を備えている。データベースインタフェース３３は、ネットワーク７を介して、クライアントから利用可能に構成されている。
【００４９】
さらに、サーバ３は、上述の構成に加えて、前記回覧情報テーブルＤ２５に設定された閲覧者の閲覧クライアント４に、権利情報の閲覧要求を出力する閲覧要求部３１と、閲覧要求に対する閲覧者の閲覧履歴を管理する閲覧履歴管理部３２を備えている。
【００５０】
閲覧要求部３１は、閲覧者の閲覧クライアント４に権利情報の閲覧要求を出力する処理を実現する閲覧要求部プログラムＳ３１を備えている。
【００５１】
閲覧履歴管理部３２は、閲覧要求に対する閲覧者の閲覧履歴を管理する処理を実現する閲覧履歴管理部プログラムＳ３２を備えている。
【００５２】
閲覧クライアント４は、サーバ３のデータベースインタフェース３３を介して、データベース２に備えられているデータテーブルのデータにアクセス可能に構成されている。
【００５３】
さらに、閲覧クライアント４は、上述の構成に加えて、サーバ３の閲覧要求部３１から入力された閲覧要求に基づいて、データベース２に蓄積された権利情報を閲覧操作し、各権利情報に対する評価情報及び閲覧終了を入力するための閲覧操作画面を表示する閲覧処理部４１と、当該閲覧操作画面を介した閲覧終了入力操作に基づいてサーバ３の閲覧履歴管理部３２に閲覧終了通知を出力する閲覧進捗管理部４２を備えている。
【００５４】
閲覧処理部４１は、評価情報の入力操作を行うことができる評価用閲覧操作画面Ｗ４１１と、評価情報の入力操作を行うことはできないが、権利情報の閲覧操作が可能である閲覧用閲覧操作画面Ｗ４１２を備えている。さらに、評価用閲覧操作画面Ｗ４１１、あるいは、閲覧用閲覧操作画面Ｗ４１２の表示処理や、前記画面の入力操作に基づいた処理を実行する閲覧処理部プログラムＳ４１を備えている。
【００５５】
閲覧進捗管理部４２は、上述の評価用閲覧操作画面Ｗ４１１、あるいは、閲覧用閲覧操作画面Ｗ４１２の閲覧終了入力操作に基づいて、処理を実行する閲覧進捗管理部Ｓ４２を備えている。
【００５６】
本発明による閲覧システム１を利用する場合において、検索用コンピュータ６の検索実行部６１を利用して、ＣＤ−ＲＯＭ公報から特定の技術分野毎に設定された検索式に基づいて該当する特許公報等の権利情報の電子データを抽出し、抽出した権利情報の電子データをデータベース２に登録する必要がある。この場合の実施形態について、上述の構成例と、図２、図３、図４に基づいて説明する。
【００５７】
図２に示すように、知財管理者が、たとえば、アイコンをクリックするなど、検索画面の起動操作をすると（Ｃ６１１）、検索実行部プログラムＳ６１の検索画面表示の処理（Ｓ６１１）が開始される。
【００５８】
検索画面表示の処理（Ｓ６１１）は、検索式を入力する検索式入力欄と、ＣＤ−ＲＯＭ公報を検索し、当該検索式に該当する公報電子データ６２１を画面に表示する検索実行ボタンと、検索結果の公報電子データを識別可能に表示する検索結果表示欄と、検索結果表示欄に表示された公報電子データを選択操作し、当該選択操作した公報電子データをファイル出力するファイル出力ボタンを備えた検索実行画面Ｗ６１１を表示する。
【００５９】
続いて、知財管理者が、特定の技術分野毎に設定された検索式を検索式入力欄に入力後、検索実行ボタンを押下すると（Ｃ６１２）、検索実行部プログラムＳ６１の検索実行の処理（Ｓ６１２）が開始される。
【００６０】
検索実行の処理（Ｓ６１２）は、検索式入力欄に入力された検索式を取得し、当該取得した検索式に該当する公報電子データ６２１を、メディアドライブ６２内のＣＤ−ＲＯＭ公報を検索して取得する。そして、当該取得した検索結果の公報電子データ６２１を、検索実行画面Ｗ６１１の検索結果表示欄に識別可能に表示する。
【００６１】
続いて、知財管理者が、検索実行画面Ｗ６１１の検索結果表示欄に識別可能に表示された公報電子データ６２１から、ファイル出力する公報電子データ６２１を選択操作し、ファイル出力ボタンを押下すると（Ｃ６１３）、検索実行部プログラムＳ６１のファイル出力の処理（Ｓ６１３）が開始される。
【００６２】
ファイル出力の処理（Ｓ６１３）は、選択操作された公報電子データ６２１を、検索用コンピュータ６の共有フォルダ等のファイル書込みが可能なフォルダへファイル出力する。
【００６３】
この場合、出力するファイル６３（以下、「権利情報データファイル」と記す）のファイルファーマットは、ＣＤ−ＲＯＭ公報に格納されたフォーマットと同じ形式が望ましいが、一般的に周知されたファイルフォーマットである限り、特に限定はしない。
【００６４】
ただし、ＣＤ−ＲＯＭ公報に格納されたフォーマットと別の形式のフォーマットに変換する場合は、フォーマット変換の処理プログラムが必要となることは、言うまでもない。
【００６５】
なお、知財管理者が、あらかじめ設定ファイル等に検索式を設定しておき、ある一定期間毎に自動で起動し、当該設定された検索式に該当する権利情報データファイル６３を出力するように、検索実行部プログラムＳ６１を構成しても構わない。
【００６６】
また、権利情報データファイルは、ＣＤ−ＲＯＭ公報から抽出して作成することに限定されず、たとえば、Shareresearch(株式会社日立製作所)等の商用の特許情報提供サービスを利用して、特定の技術分野毎に設定された検索式に基づいて該当する権利情報データファイルを作成しても構わない。
【００６７】
また、検索用コンピュータ６の検索実行部６１とメディアドライブ６２とメディアドライブ６２にアクセスするためのインタフェース部を、サーバ３に備えるように構成することにより、検索用コンピュータ６とサーバ３が一体化したスタンドアロン型システムとして構成しても構わない。
【００６８】
続いて、出力された権利情報データファイル６３が本発明による閲覧システム１により回覧可能に編集され、回覧情報テーブルＤ２５に権利情報に対する評価情報の入力の要否を規定する閲覧属性が閲覧者毎に設定される実施形態について説明する。
【００６９】
図３に示すように、知財管理者が、たとえば、アイコンをクリックするなど、データ取込画面Ｗ５１１の起動操作をすると（Ｃ５１１）、文書登録部プログラムＳ５１のデータ取込画面表示の処理（Ｓ５１１）が開始される。
【００７０】
データ取込画面表示の処理（Ｓ５１１）は、データベース２への登録対象とする権利情報データファイル６３を選択操作するファイル指定ダイアログと、ファイル指定ダイアログで選択操作されたファイルのファイルパスを表示するファイル指定欄と、当該指定された権利情報データファイル６３の内容をデータ編集画面Ｗ５１２に表示するファイル表示ボタンを備えたデータ取込画面Ｗ５１１を表示する。
【００７１】
続いて、知財管理者が、ファイル指定ダイアログを利用して登録対象とする権利情報データファイル６３を指定後、ファイル表示ボタンを押下すると（Ｃ５１２）、文書登録部プログラムＳ５１の権利情報データファイル読込の処理（Ｓ５１２）が開始される。
【００７２】
権利情報データファイル読込の処理（Ｓ５１２）は、ファイル指定欄に表示されたファイルパスを取得し、当該ファイルパスに該当する権利情報データファイル６３を読み取った後、データ編集画面表示の処理（Ｓ５１３）を実行する。
【００７３】
データ編集画面Ｗ５１２は、権利情報データファイル６３の公報番号や書誌事項や要約などのテキスト情報を表示する権利情報表示欄と、閲覧者の一覧を識別可能に表示し、表示された閲覧者の一覧を選択操作可能とする閲覧者一覧表示ダイアログと、閲覧者一覧表示ダイアログを起動する閲覧者一覧ダイアログ起動ボタンと、データ編集画面Ｗ５１２に入力されたデータをデータベース２に登録するデータ登録ボタンを備えている。
【００７４】
データ編集画面表示の処理（Ｓ５１３）は、データ編集画面Ｗ５１２を起動するとともに、権利情報データファイル読込の処理（Ｓ５１２）で読み取った権利情報データファイル６３の公報番号や書誌事項や要約などのテキスト情報を、データ編集画面Ｗ５１２の権利情報表示欄に表示する。
【００７５】
さらに、データ編集画面表示の処理（Ｓ５１３）は、公報の閲覧者を設定するために、閲覧者を識別する情報が設定された閲覧者情報テーブルＤ２２から閲覧者のデータを取得し、データ編集画面Ｗ５１２の閲覧者一覧表示ダイアログに利用可能に表示する。
【００７６】
ここで、閲覧者一覧表示ダイアログに利用可能に表示するとは、データ編集画面Ｗ５１２上で常時目視できる状態で表示されなくても、閲覧者一覧表示ダイアログ起動ボタンを押下して閲覧者一覧表示ダイアログを起動し、閲覧者の選択操作をする場合に利用可能であることを示す。
【００７７】
続いて、知財管理者は、データ編集画面Ｗ５１２の権利情報表示欄に表示されたデータを利用して、権利情報を回覧可能に編集する（Ｃ５１３）。
【００７８】
まず、データ編集画面Ｗ５１２の権利情報表示欄に表示された権利情報データファイル６３の内容を権利情報テーブルＤ２１に登録可能に編集する実施形態について説明する。
【００７９】
権利情報テーブルＤ２１は、たとえば、図４（ａ）に示すようなデータ構造であるとする。公報番号Ｄ２１１と抄録Ｄ２１６と全文Ｄ２１７と図面データＤ２１８は、権利情報データファイル６３から取得可能なデータが編集されずに設定されるものとする。したがって、権利情報データファイル６３からその他のデータ項目が取得可能であれば、データ構造に追加しても構わない。
【００８０】
さらに、種別Ｄ２１２は公報種別を示し、区分Ｄ２１３は技術分野を示し、回答期限Ｄ２１４は公報番号が示す権利情報の閲覧終了を通知する期限を示し、件名Ｄ２１５は回覧の件名を示し、リンクデータＤ２１９は権利情報の関連情報が掲載されたＵＲＬなどのリンク情報を示すものとする。
【００８１】
したがって、データ編集画面Ｗ５１２は、権利情報テーブルＤ２１の構成にあわせるよう、上述の構成に加えて、権利情報表示欄に表示された権利情報毎に、公報番号Ｄ２１１を表示する公報番号表示欄と、種別Ｄ２１２を入力する種別入力欄と、区分Ｄ２１３を入力する区分入力欄と、回答期限Ｄ２１４を入力する回答期限入力欄と、件名Ｄ２１５を入力する件名入力欄と、リンクデータＤ２１９を入力するリンクデータ入力欄を備えるようにする。
【００８２】
なお、種別入力欄と区分入力欄は、あらかじめ候補となるデータを設定ファイルなどに設定しておき、選択入力操作が可能な画面部品を利用して構成することが、入力を迅速に行う上で望ましい。
【００８３】
まず、知財管理者は、データ編集画面Ｗ５１２の権利情報表示欄に表示された権利情報内容を確認し、一度の回覧で閲覧可能な権利情報の数を制限するために、種別入力欄と区分入力欄に、それぞれ、種別Ｄ２１２と区分Ｄ２１３を入力して権利情報を分類可能に編集する。
【００８４】
続いて、分類した権利情報毎に同じ件名となるように、件名入力欄に件名Ｄ２１５を入力する。さらに、閲覧者間の意思疎通を図り、効率よく回覧を実施するために、権利情報に関連する先行技術情報を掲載したホームページのＵＲＬや、あるいは、権利情報を閲覧する場合の注意点を示すコメントなど、権利情報のリンクデータＤ２１９を、リンクデータ入力欄に入力する。
【００８５】
なお、回覧を効率よく実施するために、上述の権利情報テーブルＤ２１のデータ構造にその他の項目を設定するようにしても構わないし、データ項目が多すぎるのであれば、公報番号で関連付けられた複数のテーブルに分割したデータ構造にしても構わない。ただし、データ項目に合わせて、データ編集画面Ｗ５１２を構成する必要があることはいうまでもない。
【００８６】
続いて、公報を回覧する閲覧者の設定情報を回覧情報テーブルＤ２５に登録可能なデータを編集する実施形態について説明する。
【００８７】
回覧情報テーブルＤ２５は、たとえば、図４（ｂ）に示すようなデータ構造をとるものとする。種別Ｄ２５１は、権利情報テーブルＤ２１の種別Ｄ２１１と関連付け、区分Ｄ２５２は、権利情報テーブルＤ２１の区分Ｄ２１２と関連付けるようにし、種別Ｄ２５１と区分Ｄ２５２で分類された権利情報毎に、回覧する閲覧者が設定される。
【００８８】
回覧グループＤ２５３は、回覧のグループの名前を示し、本実施形態では種別Ｄ２５１と区分Ｄ２５２での分類名を示す。さらに、閲覧者Ｄ２５４は、上述の閲覧者情報テーブルＤ２２から取得した閲覧者を識別する名前を示す。さらに、閲覧属性Ｄ２５５は、閲覧とともに権利情報に対する評価情報の入力が必要であるか否かを示す。
【００８９】
さらに、本実施形態では、回覧のグループ毎に最大２０名の閲覧者を設定可能とし、閲覧者Ｄ２５４と閲覧属性Ｄ２５５のデータ項目の組合せが２０組備えられたデータ構造とする。
【００９０】
なお、いうまでもなく、回覧のグループ毎の最大閲覧者数は変更しても構わないし、回覧グループＤ２５３などと関連付けられた複数のテーブルに分割して、分割された別のテーブルに閲覧者Ｄ２５４と閲覧属性Ｄ２５５を設定するように変更しても構わない。
【００９１】
したがって、データ編集画面Ｗ５１２は、回覧情報テーブルＤ２５の構成にあわせるよう、上述の構成に加えて、回覧情報入力欄を設ける必要がある。
【００９２】
ただし、回覧情報テーブルＤ２５は、種別Ｄ２５１と区別Ｄ２５２で分類した権利情報毎に閲覧者を設定するテーブルであるため、種別Ｄ２５１と区別Ｄ２５２のデータが新規に追加されない限り、回覧情報テーブルＤ２５を頻繁に更新する必要はない。
【００９３】
したがって、本実施形態では、データ編集画面Ｗ５１２に表示された権利情報データファイル６３の内容を権利情報テーブルＤ２１に登録可能に編集する操作（Ｃ５１３）と分離し、データ編集画面Ｗ５１２から起動される別の回覧情報編集画面の操作で回覧情報テーブルＤ２５に登録可能なデータを編集するものとして説明する。ただし、同データ編集画面Ｗ５１２に回覧情報編集画面の内容を表示し、後述する回覧情報テーブルＤ２５に登録可能なデータを編集するように構成しても構わない。
【００９４】
データ編集画面Ｗ５１２は、回覧情報テーブルＤ２５に設定するデータを編集するための回覧情報入力欄と、回覧情報入力欄に入力された内容をデータ編集画面Ｗ５１２に利用可能に表示する設定完了ボタンを備えた回覧情報編集画面を起動する回覧編集設定ボタンを備えるよう構成する。
【００９５】
回覧情報編集画面の回覧情報入力欄は、回覧情報テーブルＤ２５のデータ構造に合わせて構成され、種別Ｄ２５１と区分Ｄ２５２と回覧グループＤ２５３を入力するための、回覧種別入力欄と回覧区分入力欄と回覧グループ入力欄を備え、回覧グループＤ２５３毎に、閲覧者Ｄ２５４と閲覧属性Ｄ２５５を入力する回覧者入力欄と閲覧属性入力欄を２０組備えている。
【００９６】
まず、知財管理者が、データ編集画面Ｗ５１２に備えられた回覧編集設定ボタンを押下すると、文書登録部プログラムＳ５１は、回覧情報編集画面を表示する。この場合、既に回覧情報テーブルＤ２５にデータが存在するときは、文書登録部プログラムＳ５１は、回覧情報テーブルＤ２５のデータを取得して、回覧情報編集画面に表示するように構成する。
【００９７】
続いて、知財管理者が、回覧情報入力欄に備えられた、種別入力欄と、回覧区分入力欄と、回覧グループ欄と、回覧グループ入力欄と、回覧者入力欄と、閲覧属性入力欄に、回覧情報テーブルＤ２５に設定するデータを入力後、設定完了ボタンを押下すると、文書登録部プログラムＳ５１は、当該回覧情報入力欄に入力された内容をデータ編集画面Ｗ５１２に利用可能に表示する。
【００９８】
この場合、当該回覧情報入力欄に入力された内容をデータ編集画面Ｗ５１２に利用可能に表示するとは、データ編集画面Ｗ５１２上で常時目視できる状態で表示されなくても、知財管理者がデータ編集画面Ｗ５１２のデータ登録ボタンを押下したときに実行される文書登録部プログラムＳ５１が、当該回覧情報入力欄に入力された内容を取得して利用可能であることを示す。
【００９９】
続いて、知財管理者が上述のデータ編集の作業を終了し、データ編集画面Ｗ５１２のデータ登録ボタンを押下すると（Ｃ５１４）、文書登録部プログラムＳ５１の回覧データ登録の処理（Ｓ５１４）が開始される。
【０１００】
回覧データ登録の処理（Ｓ５１４）は、データ編集画面Ｗ５１２から権利情報テーブルＤ２１に登録可能な権利情報データファイル６３の内容（以下、「権利情報データ」と記す。）と、回覧情報テーブルＤ２５に登録可能なデータ（以下、「回覧情報データ」と記す。）を取得し、取得した権利情報データを権利情報テーブルＤ２１に登録し、取得した回覧情報データを回覧情報テーブルＤ２５に登録する。
【０１０１】
以下では、回覧情報テーブルＤ２５に設定された閲覧者のクライアント４に閲覧要求を出力する閲覧要求部３１と、閲覧要求部３１から入力された閲覧要求に基づいて、データベース２に蓄積された権利情報を閲覧操作し、閲覧属性Ｄ２５５が要に設定されている閲覧者にのみ、各権利情報に対する評価情報及び閲覧終了を入力可能な評価用閲覧操作画面Ｗ４１１を表示する閲覧処理部４１の実施形態について、上述の構成例と実施形態、図５、図６、図７、図９に基づいて説明する。
【０１０２】
閲覧要求部３１の閲覧要求部プログラムＳ３１は、手動あるいは、ある定められた期間毎に自動で実行を開始するよう構成する。
【０１０３】
図５に示すように、閲覧要求部プログラムＳ３１が実行開始されると、まず、権利情報取得の処理（Ｓ３１１）が開始される。
【０１０４】
権利情報取得の処理（Ｓ３１１）は、権利情報テーブルＤ２１に蓄積された権利情報データを取得し、回覧情報取得の処理（Ｓ３１２）を開始する。
【０１０５】
回覧情報取得の処理（Ｓ３１２）は、回覧情報テーブルＤ２５に設定された回覧情報データを取得し、閲覧情報登録の処理（Ｓ３１３）を開始する。
【０１０６】
閲覧情報登録の処理（Ｓ３１３）は、権利情報取得の処理（Ｓ３１１）で取得した権利情報データの種別Ｄ２１２と区分Ｄ２１３に関連付けられた回覧情報データを、回覧情報取得の処理（Ｓ３１２）で取得した回覧情報データから取得し、当該回覧情報データの閲覧者Ｄ２５４へ配信する情報が設定される閲覧者個別情報テーブルＤ２３に登録するデータ（以下、「閲覧情報データ」と記す。）を作成し、当該作成した閲覧情報データを閲覧者個別情報テーブルＤ２３に登録する。
【０１０７】
閲覧者個別情報テーブルＤ２３に登録する閲覧情報データは、図６（ａ）に示すようなデータ構造とする。
【０１０８】
閲覧者Ｄ２３１は、回覧情報テーブルの閲覧者Ｄ２５４を設定し、種別Ｄ２３２は、権利情報データの種別Ｄ２１２を設定し、区分Ｄ２３３は、権利情報データの種別Ｄ２１３を設定し、件名Ｄ２３４は、権利情報データの件名Ｄ２１５を設定し、公報番号Ｄ２３５は、権利情報データの公報番号Ｄ２１１を設定し、閲覧属性Ｄ２３６は、回覧情報データの閲覧属性Ｄ２５５を設定する。評価文書Ｄ２３７と閲覧終了日付Ｄ２３８と添付ファイルＵＲＬＤ２３９には、何も設定せずに登録する。
【０１０９】
以上で、閲覧要求部３１の閲覧要求部プログラムＳ３１は、処理を終了する。
【０１１０】
続いて、図７に示すように、閲覧クライアント４を使用している閲覧者が、たとえば、アイコンをクリックするなど、閲覧操作画面の起動操作をすると（Ｃ４１１）、閲覧処理部４１の閲覧処理部プログラムＳ４１の閲覧者用データ取得の処理（Ｓ４１１）が開始される。
【０１１１】
閲覧者用データ取得の処理（Ｓ４１１）は、当該閲覧操作画面の表示を要求した閲覧者用に登録された閲覧情報データを、閲覧者個別情報テーブルＤ２３から取得し、さらに、取得した当該閲覧情報データの公報番号Ｄ２３５と関連付けられた権利情報データを取得する。
【０１１２】
なお、閲覧者用データ取得の処理（Ｓ４１１）をある一定の期間毎に繰り返して実行させ、閲覧クライアント４を使用している閲覧者が閲覧操作画面を起動している場合において、上述のように、閲覧要求部３１により閲覧者個別情報テーブルＤ２３に当該閲覧者用の閲覧情報データが登録されたときは、閲覧操作画面を操作可能に表示する、あるいは、市販のメールソフトウェアのように、権利情報が配信されたことを通知するメッセージ画面を表示するなど、閲覧者に閲覧情報が配信されたことを明確に通知しても構わない。
【０１１３】
続いて、閲覧処理部プログラムＳ４１は、閲覧者用データ取得の処理（Ｓ４１１）で取得した閲覧情報データに設定されている閲覧属性Ｄ２３６が、要に設定されているかどうかを確認する（Ｓ４１２）。
【０１１４】
閲覧属性Ｄ２３６が要に設定されている場合は、評価用閲覧操作画面表示の処理（Ｓ４１３）を開始する。
【０１１５】
評価用閲覧操作画面表示の処理（Ｓ４１３）は、権利情報の評価情報及び閲覧終了を入力可能な評価用閲覧操作画面Ｗ４１１を起動し、閲覧者用データ取得の処理（Ｓ４１１）で取得した閲覧情報データと、当該閲覧情報データに関連付けられた権利情報データを評価用閲覧操作画面Ｗ４１１に表示する。
【０１１６】
評価用閲覧操作画面Ｗ４１１は、たとえば、図９（ａ）に示すように、閲覧の終了通知を入力操作する閲覧終了通知ボタンＷ４３１１と、権利情報の詳細が表示される詳細情報表示欄Ｗ４１４１と、評価情報を入力操作する評価情報入力欄Ｗ４１４２を備えるようにする。
【０１１７】
詳細情報表示欄Ｗ４１４１は、たとえば、権利情報データの抄録Ｄ２１６に設定されたデータを別画面に表示する抄録表示ボタンと、権利情報データの全文Ｄ２１７に設定されたデータを別画面に表示する全文表示ボタンと、権利情報データの図面データＤ２１８に設定されたデータを別画面に表示する図面表示ボタンと、権利情報データのリンクデータＤ２１９に設定されたデータを別画面に表示するリンクデータ表示ボタンを備えるようにする。
【０１１８】
この場合、閲覧者が抄録表示ボタンを押下すると、閲覧処理部４１の閲覧処理部プログラムＳ４１がダイアログなどの別画面を起動して、権利情報データの抄録Ｄ２１６に設定されたデータを取得後、当該起動した別画面に表示するよう構成する。
【０１１９】
また、閲覧者が全文表示ボタン、図面表示ボタン、リンクデータ表示ボタンを押下した場合も、上述のように、閲覧処理部プログラムＳ４１が権利情報データに設定された内容を別画面に表示するよう構成する。
【０１２０】
したがって、評価用閲覧操作画面Ｗ４１１の限られた表示領域を有効に利用して、権利情報の詳細を確認することができるようになる。
【０１２１】
以下では、評価用閲覧操作画面Ｗ４１１を介した閲覧終了入力操作に基づいて、サーバ３に備えられた閲覧要求に対する閲覧者の閲覧履歴を管理する閲覧履歴管理部３２に、閲覧終了通知を出力する閲覧進捗管理部４２を備えた閲覧者のクライアント４の実施形態について、上述の構成例と、図７、図８、図９に基づいて説明する。
【０１２２】
閲覧者は、詳細情報表示欄Ｗ４１４１に表示された権利情報を閲覧し、評価情報入力欄Ｗ４１４２に、権利情報に対する評価情報を入力する。（Ｃ４２１）。
【０１２３】
続いて、閲覧者は、評価情報を入力して閲覧終了を通知するために、閲覧終了通知ボタンＷ４３１１を押下すると（Ｃ４２２）、閲覧進捗管理部プログラムＳ４２の閲覧終了通知の処理（Ｓ４２１）が開始される。
【０１２４】
なお、閲覧終了通知ボタンＷ４３１１を押下することなく、評価情報の入力完了を検知した後、自動で閲覧終了通知の処理（Ｓ４２１）を開始するよう、閲覧処理部プログラムＳ４１を構成しても構わない。
【０１２５】
閲覧終了通知の処理（Ｓ４２１）は、図６（ｂ）に示すように、評価用閲覧操作画面Ｗ４１１に表示された閲覧情報データの閲覧属性Ｄ２３６に、入力された評価情報を設定し、閲覧終了日付Ｄ２３８に閲覧終了が入力操作された日付を設定する。
【０１２６】
続いて、評価情報と閲覧終了日付が設定された当該閲覧情報データを、サーバ３の閲覧履歴管理部３２の閲覧履歴管理部プログラムＳ３２に送信することにより、閲覧が終了したことを通知する。
【０１２７】
続いて、サーバ３の閲覧履歴管理部３２の閲覧履歴管理部プログラムＳ３２は、閲覧が終了したことを受信し、閲覧履歴更新の処理（Ｓ３２１）を開始する。
【０１２８】
閲覧履歴更新の処理（Ｓ３２１）は、閲覧終了通知の処理（Ｓ４２１）から受信した閲覧情報データにより、該当する閲覧者個別情報テーブルＤ２３の閲覧情報データを更新する。
【０１２９】
さらに、閲覧履歴更新の処理（Ｓ３２１）は、権利情報毎に複数の閲覧者の閲覧履歴の詳細情報を管理する閲覧履歴情報テーブルＤ２４に、受信した閲覧情報データから取得した情報を設定することにより、閲覧履歴情報テーブルＤ２４のデータ（以下、「閲覧履歴データ」と記す。）を更新する。
【０１３０】
閲覧履歴情報テーブルＤ２４の閲覧履歴データは、図８に示すようなデータ構造であるものとする。したがって、閲覧履歴更新の処理（Ｓ３２１）は、公報番号Ｄ２４１に閲覧情報データの公報番号Ｄ２３５を設定し、閲覧者Ｄ２４６に閲覧情報データの閲覧者Ｄ２３１を設定する。さらに、評価Ｄ２４７には、閲覧情報データの閲覧属性Ｄ２３６に設定された評価情報を設定し、閲覧終了日付Ｄ２４８に閲覧情報データの閲覧終了日付Ｄ２３８を設定する。なお、閲覧履歴データの他のデータ項目に設定する値については、後述の実施形態で説明する。
【０１３１】
以下では、前記閲覧進捗管理部４２は、前記閲覧属性Ｄ２３６が要に設定されている閲覧者に対して、前記評価情報の入力完了を条件に前記閲覧終了通知を出力する閲覧システム１の実施形態について、上述の構成例と実施形態、ならびに図９に基づいて説明する。
【０１３２】
まず、閲覧処理部プログラムＳ４１が、詳細情報表示欄Ｗ４１４１に評価情報が入力されているかどうかをチェックする処理（以下、「評価情報チェック処理」と記す。）を備えるように構成する。
【０１３３】
続いて、閲覧者が閲覧終了通知ボタンＷ４３１１を押下したときは、当該評価情報チェック処理を開始するよう閲覧処理部プログラムＳ４１を構成する。
【０１３４】
続いて、評価情報チェック処理は、詳細情報表示欄Ｗ４１４１の評価情報入力欄Ｗ４１４２に評価情報が入力されていなかった場合は、図９（ｂ）に示すように、評価情報を入力するよう促す旨のメッセージを表示する警告画面を起動するように構成する。
【０１３５】
一方、評価情報入力欄Ｗ４１４２に評価情報が入力されていた場合は、上述のとおり、閲覧進捗管理部Ｓ４２の閲覧終了通知の処理（Ｓ４２１）を実行するように構成する。
【０１３６】
以下では、前記評価情報が前記権利情報に対する重要性のランクデータである閲覧システム１の実施形態について、上述の構成例と実施形態、ならびに図９に基づいて説明する。
【０１３７】
上述のように、評価用閲覧操作画面Ｗ４１１で入力した評価情報は、閲覧履歴更新の処理（Ｓ３２１）により、閲覧者個別情報テーブルＤ２３の閲覧属性Ｄ２３６と、閲覧履歴情報テーブルＤ２４の評価Ｄ２４７に設定される。
【０１３８】
そこで、図９（ａ）に示すように、評価情報入力欄Ｗ４１４２を、リストボックス等の選択操作により入力が行える画面部品で構成し、閲覧者は、評価情報入力欄Ｗ４１４２にあらかじめ設定されたランクデータを選択操作して入力するように構成する。
【０１３９】
さらに、評価情報入力欄Ｗ４１４２が重要性のランクデータを入力操作する欄であることを周知徹底するために、評価情報入力欄Ｗ４１４２のタイトルを示す欄の文言を「評価」から「重要性」に変更する、あるいは、閲覧システム１の画面操作マニュアルにその旨を記載する等の工夫は適宜実施して構わない。
【０１４０】
以下では、前記評価情報に前記権利情報に対する評価文書データが含まれる閲覧システム１の実施形態について、上述の構成例と実施形態、ならびに図９に基づいて説明する。
【０１４１】
まず、図９（ａ）に示すように、評価文書データ入力欄Ｗ４１４３を備えるように、評価用閲覧操作画面Ｗ４１１を構成する。続いて、評価文書データ入力欄Ｗ４１４３で入力された情報をデータベース２に登録するために、たとえば、閲覧情報テーブルＤ２３に評価文書Ｄ２３７を備え、さらに、閲覧履歴情報テーブルＤ２４に評価文書Ｄ２４９を備えるよう、データ構造を変更する。
【０１４２】
さらに、評価文書データ入力欄Ｗ４１４３に入力されたデータを取得するよう閲覧終了通知の処理（Ｓ４２１）を構成し、評価文書データ入力欄Ｗ４１４３に入力されたデータを、閲覧情報テーブルＤ２３の評価文書Ｄ２３７と、閲覧履歴情報テーブルＤ２４の評価文書Ｄ２４９に設定するよう、閲覧履歴更新の処理（Ｓ３２１）を構成すればよい。
【０１４３】
なお、本実施形態で説明したように、評価用閲覧操作画面Ｗ４１１と、閲覧情報テーブルＤ２３と、閲覧履歴情報テーブルＤ２４と、閲覧終了通知の処理（Ｓ４２１）と、閲覧履歴更新の処理（Ｓ３２１）の構成を変更することにより、評価情報に権利情報に対する関連情報が記載された電子ファイルを添付することもできるようになる。
【０１４４】
たとえば、評価文書データ入力欄Ｗ４１４３に電子ファイルを指定入力する添付ファイルパス入力欄を備えるようにする。さらに、閲覧情報テーブルＤ２３に添付ファイルＤ２３９を備え、閲覧履歴情報テーブルＤ２４に添付ファイルＤ２４０を備えるよう構成する。
【０１４５】
さらに、添付ファイルパス入力欄に入力されたファイルパスを取得し、ファイルパスに該当する電子ファイルのバイナリデータを取得するよう閲覧終了通知の処理（Ｓ４２１）を構成し、当該バイナリデータを閲覧情報テーブルＤ２３の添付ファイルＤ２３９と、閲覧履歴情報テーブルＤ２４の添付ファイルＤ２４０に設定するよう、閲覧履歴更新の処理（Ｓ３２１）を構成すればよい。
【０１４６】
以下では、前記閲覧処理部４１は、前記閲覧属性Ｄ２３６に基づいて閲覧者に異なる閲覧操作画面を表示するように構成されている閲覧システム１の実施形態について、上述の構成例と実施形態、ならびに図１０に基づいて説明する。
【０１４７】
まず、権利情報の閲覧のみが行え、評価情報の入力が行えないような閲覧用閲覧操作画面Ｗ４１２を閲覧処理部４１に備えるようにする。
【０１４８】
閲覧用閲覧操作画面Ｗ４１２は、たとえば、図１０に示すように、権利情報の概要が確認できるよう要約やキーワードを表示する概要表示欄Ｗ４１５１と、どの権利情報の閲覧を終了したかを選択入力する閲覧終了確認欄Ｗ４１５２と、閲覧終了確認欄Ｗ４１５２で選択入力操作された権利情報の閲覧終了を通知する閲覧終了通知ボタンＷ４３１２を備えるようにする。
【０１４９】
上述の実施形態の説明で利用した図７に示すように、閲覧クライアント４を使用している閲覧者が、たとえば、アイコンをクリックするなど、閲覧操作画面の起動操作をすると（Ｃ４１１）、閲覧処理部４１の閲覧処理部プログラムＳ４１の閲覧者用データ取得の処理（Ｓ４１１）が開始され、続いて、取得した閲覧情報データの閲覧属性Ｄ２３６に要が設定されているかどうかを確認する処理（Ｓ４１２）が実行される。
【０１５０】
閲覧属性Ｄ２３６に要が設定されている場合は、上述の実施形態で説明したとおり、閲覧処理部プログラムＳ４１は評価用閲覧操作画面表示の処理（Ｓ４１３）を実行し、評価用閲覧操作画面Ｗ４１１を表示する。
【０１５１】
そこで、以下では、閲覧属性Ｄ２３６に要が設定されていない場合の実施形態について説明する。
【０１５２】
閲覧属性Ｄ２３６に要が設定されていない場合は、閲覧処理部プログラムＳ４１は、閲覧用閲覧操作画面表示の処理（Ｓ４１４）を実行するよう構成する。
【０１５３】
閲覧用閲覧操作画面表示の処理（Ｓ４１４）は、閲覧者用データ取得の処理（Ｓ４１１）で取得した閲覧情報データと権利情報データを、当該閲覧用閲覧操作画面Ｗ４１２に表示するよう構成する。
【０１５４】
閲覧用閲覧操作画面Ｗ４１２の概要表示欄Ｗ４１５１は、たとえば、閲覧情報データに設定された件名Ｄ２３４と公報番号Ｄ２３５を表示し、権利情報データに設定された抄録Ｄ２１６や全文Ｄ２１７から、閲覧が迅速に行えるよう権利情報の概要のみが把握できる程度に、要約や請求項１などのデータを抽出し、表示する。
【０１５５】
続いて、閲覧者が、権利情報の閲覧を終了し、閲覧用閲覧操作画面Ｗ４１２の閲覧終了通知ボタンＷ４３１２を押下すると（Ｃ４２３）、閲覧進捗管理部プログラムＳ４２の閲覧終了通知の処理(Ｓ４２１)が実行される。
【０１５６】
閲覧終了通知の処理(Ｓ４２１)は、閲覧用閲覧操作画面Ｗ４１２の入力情報から評価情報を取得できないため、閲覧情報データの評価情報Ｄ２３６にデータを設定せず、閲覧終了日付Ｄ２３８のみを設定し、閲覧情報データを作成することになる。
【０１５７】
続いて、上述のように、閲覧終了通知の処理(Ｓ４２１)は、閲覧終了日付が設定された当該閲覧情報データを、サーバ３の閲覧履歴管理部３２の閲覧履歴管理部プログラムＳ３２に送信することにより、閲覧が終了したことを通知する。
【０１５８】
続いて、上述のように、サーバ３の閲覧履歴管理部３２の閲覧履歴管理部プログラムＳ３２は、閲覧が終了したことを受信し、閲覧履歴更新の処理（Ｓ３２１）を実行する。
【０１５９】
以下では、前記閲覧処理部４１は少なくとも前記閲覧属性Ｄ２３６が要に設定されている閲覧者に対して、前記閲覧要求に含まれる権利情報のうち、前記閲覧終了通知が未出力の権利情報を一覧表示する一覧表示画面Ｗ４１３と、前記一覧表示画面から選択された権利情報毎に、書誌事項及び権利の内容を表示可能な詳細情報表示欄Ｗ４１４１と、前記評価情報の入力欄Ｗ４１４２、及び閲覧終了入力部４３を備えた詳細表示画面Ｗ４１４を表示するように構成されている閲覧システム１について、上述の構成例と実施形態、ならびに図１１、図１２、図１３に基づいて説明する。
【０１６０】
図１１に示すように、閲覧終了する場合において、閲覧者により閲覧操作画面に入力操作された情報を取得し、当該入力操作された情報を閲覧進捗管理部４２へ送信する閲覧終了入力部４３を、閲覧クライアント４に備えるようにする。
【０１６１】
閲覧終了入力部４３は、閲覧終了の入力操作を行うためのボタン等の画面部品Ｗ４３１と、閲覧終了時に、閲覧操作画面に入力操作された情報を取得し、当該入力操作された情報を閲覧進捗管理部４２へ送信する処理を行う閲覧終了入力部プログラムＳ４３により構成される。
【０１６２】
さらに、閲覧処理部４１は、閲覧終了通知が未出力の権利情報を一覧表示する一覧表示画面Ｗ４１３と、上述の実施形態の説明で利用した図９（ａ）に示すように、一覧表示画面Ｗ４１３から選択された権利情報毎に、書誌事項及び権利の内容を表示可能な詳細情報表示欄Ｗ４１４１と、前記評価情報の入力欄Ｗ４１４２と、閲覧終了を通知する閲覧終了入力部４３を構成する閲覧終了通知ボタンＷ４３１１を備えた詳細表示画面Ｗ４１４を備えるようにする。
【０１６３】
一覧表示画面Ｗ４１３は、たとえば、図１２に示すように、閲覧情報データに設定された件名Ｄ２３４を表示する回覧件名表示欄Ｗ４１３１を備えるようにする。さらに、当該件名Ｄ２３４と同じ件名が設定された複数の閲覧情報データの公報番号Ｄ２３５と、当該公報番号Ｄ２３５に関連付けられた権利情報データの回答期限Ｄ２１４を組み合わせて表示する権利情報一覧表示欄Ｗ４１３２を備えるようにする。
【０１６４】
図１３に示すように、閲覧クライアント４を使用している閲覧者が、たとえば、アイコンをクリックするなど、閲覧操作画面の起動操作をすると（Ｃ４１１）、閲覧処理部４１の閲覧処理部プログラムＳ４１の閲覧者用データ取得の処理（Ｓ４１１）が開始され、続いて、取得した閲覧情報データの閲覧属性Ｄ２３６に要が設定されているかどうかを確認する処理（Ｓ４１２）が実行される。
【０１６５】
ここで、閲覧属性Ｄ２３６に要が設定されている場合は、閲覧未終了データ取得の処理（Ｓ４１５）を実行するように、閲覧処理部プログラムＳ４１を構成する。
【０１６６】
閲覧未終了データ取得の処理（Ｓ４１５）は、閲覧者用データ取得の処理（Ｓ４１１）で取得した閲覧情報データから、閲覧終了日付Ｄ２３８が設定されていない、すなわち、閲覧終了処理が未処理の閲覧情報データを取得後、一覧表示画面表示の処理（Ｓ４１６）を実行する。
【０１６７】
一覧表示画面表示の処理（Ｓ４１６）は、閲覧未終了データ取得の処理（Ｓ４１５）で取得した閲覧終了処理が未処理の閲覧情報データと、当該閲覧情報データに関連付けられた権利情報データを、上述の一覧表示画面Ｗ４１３の構成に合わせて表示する。
【０１６８】
続いて、閲覧者が一覧表示画面Ｗ４１３の権利情報一覧表示欄Ｗ４１３２に表示された権利情報を選択操作（Ｃ４２４）すると、閲覧処理部プログラムＳ４１の詳細表示画面表示の処理（Ｓ４１８）が実行されるように、閲覧処理プログラムＳ４１を構成する。
【０１６９】
詳細表示画面表示の処理（Ｓ４１８）は、当該選択操作した権利情報の詳細表示画面Ｗ４１４を表示する。
【０１７０】
詳細表示画面Ｗ４１４は、上述の実施形態の説明で利用した図９（ａ）に示した評価用閲覧操作画面Ｗ４１１と同じ構成とし、閲覧の終了通知を入力操作する閲覧終了通知ボタンＷ４３１１と、権利情報の書誌事項及び権利の内容を表示可能な詳細情報表示欄Ｗ４１４１と、評価情報を入力操作する評価情報入力欄Ｗ４１４２を備えるようにする。
【０１７１】
また、詳細表示画面Ｗ４１４は、上述の構成に加えて、詳細表示画面Ｗ４１４を閉じ、一覧表示画面Ｗ４１３に戻る詳細表示画面終了ボタンＷ４１４５と、当該詳細表示画面Ｗ４１４と一覧表示画面Ｗ４１３をともに終了し、閲覧システム１を利用した閲覧作業を終了する閲覧作業終了ボタンＷ４１４６を備えるようにする。
【０１７２】
詳細表示画面表示の処理（Ｓ４１８）が詳細表示画面Ｗ４１４に表示する権利情報の内容は、上述の評価用閲覧操作画面表示の処理（Ｓ４１３）が評価用閲覧操作画面Ｗ４１１に表示する権利情報の内容と同じとして、説明を割愛する。
【０１７３】
続いて、閲覧者が、詳細表示画面Ｗ４１４に表示された権利情報の詳細を確認し、評価情報入力欄Ｗ４１４２に評価情報を入力後（Ｃ４２１）、閲覧終了通知ボタンＷ４３１１を押下すると（Ｃ４２２）、閲覧終了入力部プログラムＳ４３の入力情報取得の処理（Ｓ４３１）を実行するよう、閲覧処理部プログラムＳ４１を構成する。
【０１７４】
入力情報取得の処理（Ｓ４３１）は、詳細表示画面Ｗ４１４に入力された情報を取得し、取得した詳細表示画面Ｗ４１４の入力情報を閲覧進捗管理部４２へ送信する。
【０１７５】
続いて、詳細表示画面Ｗ４１４の入力情報を取得した閲覧進捗管理部４２の閲覧進捗管理部プログラムＳ４２は、閲覧終了通知の処理(Ｓ４２１)を実行する。
【０１７６】
閲覧終了通知の処理(Ｓ４２１)は、閲覧終了入力部４３から受信した詳細表示画面Ｗ４１４の入力情報を利用し、上述のとおり、閲覧情報データの閲覧属性Ｄ２３６に入力された評価情報を設定し、閲覧情報データの閲覧終了日付Ｄ２３８に閲覧終了を入力した日付を設定する。
【０１７７】
続いて、上述のように、閲覧終了通知の処理(Ｓ４２１)は、評価情報と閲覧終了日付が設定された当該閲覧情報データを、サーバ３の閲覧履歴管理部３２の閲覧履歴管理部プログラムＳ３２に送信することにより、閲覧が終了したことを通知する。
【０１７８】
続いて、上述のように、サーバ３の閲覧履歴管理部３２の閲覧履歴管理部プログラムＳ３２は、閲覧が終了したことを受信し、閲覧履歴更新の処理（Ｓ３２１）を実行する。
【０１７９】
続いて、閲覧者は、閲覧作業を終了するか、あるいは、別の権利情報の閲覧を行うかどうかを決定する入力操作を行う（Ｃ４２５）。
【０１８０】
ここで、閲覧者が詳細表示画面終了ボタンＷ４１４５、あるいは、閲覧作業終了ボタンＷ４１４６を押下したときに、どちらのボタンが押下されたかを判断する（Ｓ４１９）よう閲覧処理部プログラムＳ４１を構成する。
【０１８１】
閲覧者が詳細表示画面終了ボタンＷ４１４５を押下した場合は、再び一覧表示画面Ｗ４１３を表示させ、閲覧情報選択の操作（Ｃ４２４）に戻るよう（Ｓ４１９）、閲覧処理部プログラムＳ４１を構成する。
【０１８２】
閲覧者が閲覧作業終了ボタンＷ４１４６を押下した場合は、閲覧処理部Ｓ４１が起動した画面を全て閉じ閲覧作業を終了するよう、閲覧処理部プログラムＳ４１を構成する。
【０１８３】
あるいは、一覧表示画面Ｗ４１３に再び戻ってから権利情報を選択する労力を省くために、上述の実施形態の説明で利用した図９（ａ）に示すように、詳細表示画面Ｗ４１４は、上述の構成に加えて、前文書ボタンＷ４１４７と次文書ボタンＷ４１４８を備えるように構成しても構わない。
【０１８４】
この場合、閲覧者が前文書ボタンＷ４１４７を押下した場合には、一覧表示画面Ｗ４１３に表示されていた当該詳細表示画面Ｗ４１４に表示されている権利情報の前の権利情報を表示し、閲覧者が次文書ボタンＷ４１４８を押下した場合は、当該詳細表示画面Ｗ４１４に表示されている権利情報の次の権利情報を表示するように閲覧処理部プログラムＳ４１を構成する必要がある。
【０１８５】
あるいは、閲覧操作の効率をさらに向上させるために、閲覧履歴更新の処理（Ｓ３２１）後は、一覧表示画面Ｗ４１３上に表示されていた当該権利情報の次の権利情報を、詳細表示画面Ｗ４１４に自動で表示し、評価情報の入力操作（Ｃ４２１）が行えるように改修しても構わない。
【０１８６】
以下では、前記閲覧処理部４１は、少なくとも前記閲覧属性Ｄ２３６が否に設定されている閲覧者に対して、前記閲覧要求に含まれる複数の権利情報の書誌事項及び要約を表示する概要表示欄Ｗ４１５２と、前記概要表示欄に表示された複数の権利情報を一括して閲覧終了操作する閲覧終了入力部４３を備えた概要表示画面Ｗ４１５を表示するように構成されている閲覧システム１について、上述の構成例と実施形態、ならびに図１４に基づいて説明する。
【０１８７】
上述の実施形態の説明で利用した図１１に示すように、閲覧終了する場合において、閲覧者により閲覧操作画面に入力操作された複数の権利情報を一括して閲覧終了操作する閲覧終了入力部４３を備えるようにする。
【０１８８】
閲覧終了入力部４３は、閲覧終了の入力操作を行うためのボタン等の画面部品Ｗ４３１と、閲覧者により閲覧操作画面に入力操作された複数の権利情報を一括して閲覧終了操作し、当該入力操作された情報を閲覧進捗管理部４２へ送信する処理を行う閲覧終了入力部プログラムＳ４３により構成される。
【０１８９】
さらに、閲覧処理部４１は、上述の実施形態の説明で利用した図１０に示された閲覧用閲覧操作画面Ｗ４１２と同じ構成である、権利情報の概要が確認できるよう要約やキーワードを表示する概要表示欄Ｗ４１５１と、どの権利情報の閲覧を終了したかを選択入力する閲覧終了確認欄Ｗ４１５２を備えた概要表示画面Ｗ４１５を備えるようにする。
【０１９０】
さらに、概要表示画面Ｗ４１５は、閲覧終了入力部４３を構成する画面部品である、閲覧終了確認欄Ｗ４１５２で選択入力操作された権利情報の閲覧終了を通知する閲覧終了通知ボタンＷ４３１２と、閲覧終了入力部４３を構成する画面部品である、前記概要表示欄Ｗ４１５１に表示された複数の権利情報を一括して閲覧終了操作する一括閲覧終了通知ボタンＷ４３１３を備えるようにする。
【０１９１】
また、概要表示画面Ｗ４１５は、上述の構成に加えて、概要表示画面Ｗ４１５を閉じ、閲覧システム１を利用した閲覧作業を終了する閲覧作業終了ボタンＷ４１５２を備えるようにする。
【０１９２】
上述の実施形態の説明で利用した図１３に示すように、閲覧クライアント４を使用している閲覧者が、たとえば、アイコンをクリックするなど、閲覧操作画面の起動操作をすると（Ｃ４１１）、閲覧処理部４１の閲覧処理部プログラムＳ４１の閲覧者用データ取得の処理（Ｓ４１１）が開始され、続いて、取得した閲覧情報データの閲覧属性Ｄ２３６に要が設定されているかどうかを確認する処理（Ｓ４１２）が実行される。
【０１９３】
ここで、閲覧属性Ｄ２３６に否が設定されている場合は、概要表示画面表示の処理（Ｓ４１７）を実行するように、閲覧処理部プログラムＳ４１を構成する。
【０１９４】
概要表示画面表示の処理（Ｓ４１７）は、閲覧者用データ取得の処理（Ｓ４１１）で取得した閲覧情報データと、当該閲覧情報データに関連付けられた権利情報データを、上述の概要表示画面Ｗ４１５の構成に合わせて表示する。
【０１９５】
上述の閲覧用閲覧操作画面Ｗ４１１と同様に、概要表示画面Ｗ４１５の概要表示欄Ｗ４１５１は、たとえば、閲覧情報データに設定された件名Ｄ２３４と公報番号Ｄ２３５を表示し、権利情報データに設定された抄録Ｄ２１６や全文Ｄ２１７から、閲覧が迅速に行えるよう権利情報の概要のみが把握できる程度に、要約や請求項１などのデータを抽出し、表示する。
【０１９６】
続いて、図１４に示すように、閲覧者は、概要表示画面Ｗ４１５に表示された権利情報の概要を確認し、確認した権利情報の閲覧終了確認欄Ｗ４１５２を選択入力操作する（Ｃ４２６）。
【０１９７】
権利情報の閲覧終了確認欄Ｗ４１５２を選択入力操作した直後は、当該権利情報の概要を表示している箇所が選択状態を示すように背景色等を変更し、さらに、当該選択状態の権利情報に関する閲覧終了を通知可能とするために、閲覧終了通知ボタンＷ４３１２を押下可能であることを示す状態で表示するよう閲覧処理部プログラムＳ４１を構成する。
【０１９８】
続いて、閲覧者が、押下可能であることを示す状態で表示されている閲覧終了通知ボタンＷ４３１２を押下すると（Ｃ４２３）、閲覧終了入力部プログラムＳ４３の入力情報取得の処理（Ｓ４３２）を実行するよう、閲覧処理部プログラムＳ４１を構成する。
【０１９９】
入力情報取得の処理（Ｓ４３２）は、概要表示画面Ｗ４１５で選択入力操作された権利情報に該当する閲覧情報データを取得し、取得した閲覧情報データを閲覧進捗管理部４２へ送信する。
【０２００】
続いて、概要表示画面Ｗ４１５で選択入力操作された権利情報に該当する閲覧情報データを取得した閲覧進捗管理部４２の閲覧進捗管理部プログラムＳ４２は、閲覧終了通知の処理(Ｓ４２２)を実行するよう構成する。
【０２０１】
閲覧終了通知の処理(Ｓ４２２)は、閲覧終了入力部４３から受信した概要表示画面Ｗ４１５で選択入力操作された権利情報に該当する閲覧情報データを利用し、閲覧終了を入力した日付を閲覧情報データの閲覧終了日付Ｄ２３８に設定する。
【０２０２】
続いて、閲覧終了通知の処理(Ｓ４２２)は、評価情報と閲覧終了日付が設定された当該閲覧情報データを、サーバ３の閲覧履歴管理部３２の閲覧履歴管理部プログラムＳ３２に送信することにより、閲覧が終了したことを通知するよう構成する。
【０２０３】
続いて、サーバ３の閲覧履歴管理部３２の閲覧履歴管理部プログラムＳ３２は、閲覧が終了したことを受信し、閲覧履歴更新の処理（Ｓ３２２）を実行するよう構成する。
【０２０４】
閲覧履歴更新の処理（Ｓ３２２）は、受信した閲覧情報データに該当する閲覧者個別情報テーブルＤ２３の閲覧情報データと、当該閲覧情報データに関連する閲覧履歴情報テーブルＤ２４のデータを更新する。
【０２０５】
一方、上述のように、当該選択状態の権利情報の閲覧を終了するのではなく、閲覧者が別の権利情報の概要を継続して確認し、当該別の権利情報の閲覧終了確認欄Ｗ４１５２を選択入力した場合は、一括閲覧終了通知ボタンＷ４３１３を押下可能に表示するよう閲覧処理部プログラムＳ４１を構成する。
【０２０６】
続いて、閲覧者が一括閲覧終了通知ボタンＷ４３１３を押下すると（Ｃ４２７）、閲覧終了入力部プログラムＳ４３の入力情報一括取得の処理（Ｓ４３３）を実行するよう、閲覧処理部プログラムＳ４１を構成する。
【０２０７】
入力情報一括取得の処理（Ｓ４３３）は、概要表示画面Ｗ４１５で選択入力操作された権利情報に該当する複数の閲覧情報データを一括して閲覧進捗管理部４２へ送信する。
【０２０８】
続いて、概要表示画面Ｗ４１５で選択入力操作された権利情報に該当する複数の閲覧情報データを一括して取得した閲覧進捗管理部４２の閲覧進捗管理部プログラムＳ４２は、一括閲覧終了通知の処理(Ｓ４２３)を実行するよう構成する。
【０２０９】
一括閲覧終了通知の処理(Ｓ４２３)は、閲覧終了入力部４３から受信した概要表示画面Ｗ４１５で選択入力操作された権利情報に該当する複数の閲覧情報データを利用し、当該閲覧情報データの閲覧終了日付Ｄ２３８に閲覧終了を入力した日付を設定する。
【０２１０】
続いて、一括閲覧終了通知の処理(Ｓ４２３)は、当該閲覧終了日付Ｄ２３８が設定された複数の閲覧情報データをサーバ３の閲覧履歴管理部３２の閲覧履歴管理部プログラムＳ３２に送信することにより、閲覧が終了したことを一括して通知するようよう構成する。
【０２１１】
続いて、サーバ３の閲覧履歴管理部３２の閲覧履歴管理部プログラムＳ３２は、閲覧が終了したことを一括して受信し、閲覧履歴一括更新の処理（Ｓ３２３）を実行するよう構成する。
【０２１２】
閲覧履歴一括更新の処理（Ｓ３２３）は、受信した複数の閲覧情報データに該当する閲覧者個別情報テーブルＤ２３の閲覧情報データと、当該複数の閲覧情報データに関連付けられた閲覧履歴情報テーブルＤ２４のデータを更新するよう構成する。
【０２１３】
続いて、閲覧者は、閲覧作業を終了するか、あるいは、閲覧作業を継続し、別の権利情報の閲覧を行うかどうかを決定する入力操作を行う（Ｃ４２８）。
【０２１４】
閲覧者が閲覧作業終了ボタンＷ４１５２を押下した場合は、閲覧処理部Ｓ４１が起動した画面を全て閉じ閲覧作業を終了するよう、閲覧処理部プログラムＳ４１を構成する。
【０２１５】
閲覧者が閲覧作業を継続する場合は、表示されている概要表示画面Ｗ４１５をそのまま利用して、閲覧作業を継続する。
【０２１６】
以下では、前記閲覧履歴管理部３２により管理された閲覧履歴を表示する履歴画面表示処理部５２を備えた管理者用のクライアント５が前記ネットワーク７に接続され、前記履歴画面表示処理部５２は、権利情報毎に、閲覧者による閲覧終了の入力時期Ｄ２４８と前記ランクデータＤ２４７を表示する閲覧履歴表示欄Ｗ５２１１と、管理者による評価情報入力欄Ｗ５２１３を備えた閲覧履歴表示画面Ｗ５２１を表示し、前記評価情報入力欄Ｗ５２１３に各閲覧者によるランクデータＤ２４７のうち最大のランクデータを初期表示するように構成されている閲覧システム１について、上述の構成例と実施形態、ならびに図１５、図１６に基づいて説明する。
【０２１７】
まず、上述の実施形態の説明で利用した図１１に示すように、管理クライアント５は、閲覧履歴管理部３２により管理された閲覧履歴を表示する履歴画面表示処理部５２を備えるようにする。
【０２１８】
履歴画面表示処理部５２は、閲覧履歴管理部３２により管理された閲覧履歴を表示する閲覧履歴表示画面Ｗ５２１と、閲覧履歴表示画面Ｗ５２１で入力操作される情報あるいは表示される情報に基づいた処理を行う履歴画面表示処理部プログラムＳ５２を備えるようにする。
【０２１９】
図１５に示すように、知財管理者が、たとえば、アイコンをクリックするなど、閲覧履歴表示画面Ｗ５２１の起動操作をすると（Ｃ５２１）、履歴画面表示処理部５２の履歴画面表示処理部プログラムＳ５２の閲覧履歴情報取得の処理（Ｓ５２１）が実行される。
【０２２０】
閲覧履歴情報取得の処理（Ｓ５２１）は、データベース２に設定された閲覧履歴情報テーブルＤ２４のデータを取得するよう、閲覧履歴管理部３２の閲覧履歴管理部プログラムＳ３２に要求する。
【０２２１】
続いて、要求を受けた閲覧履歴管理部３２の閲覧履歴管理部プログラムＳ３２は、終了済閲覧履歴情報取得の処理（Ｓ３２４）を実行するよう構成する。
【０２２２】
終了済閲覧履歴情報取得の処理（Ｓ３２４）は、管理クライアント５からの閲覧履歴情報テーブルＤ２４のデータ取得の要求を受信すると、閲覧履歴情報テーブルＤ２４から全ての閲覧者の閲覧終了日付Ｄ２４８が設定されている閲覧終了済みの閲覧履歴データを取得し、履歴画面表示処理部プログラムＳ５２に取得した閲覧履歴データを送信する。
【０２２３】
履歴画面表示処理部プログラムＳ５２は、閲覧履歴管理部プログラムＳ３２から閲覧終了済みの閲覧履歴データを受信すると、閲覧履歴表示画面表示の処理（Ｓ５２２）を実行するよう構成する。
【０２２４】
閲覧履歴表示画面表示の処理（Ｓ５２２）は、閲覧履歴管理部プログラムＳ３２から受信した閲覧終了済みの閲覧履歴データを、閲覧履歴表示画面Ｗ５２１に表示する。さらに、閲覧履歴表示画面Ｗ５２１を操作する知財管理者を識別する知財管理者名を、目視できる必要はないが、利用可能に表示する。
【０２２５】
閲覧履歴表示画面Ｗ５２１は、たとえば、図１６に示すように、権利情報毎に、閲覧者による閲覧終了の入力時期Ｄ２４８と前記ランクデータＤ２４７を表示する閲覧履歴表示欄Ｗ５２１１と、知財管理者による評価情報入力欄Ｗ５２１３と、知財管理者による評価の終了通知を入力操作する評価終了通知ボタンＷ５２１７を備えるようにする。
【０２２６】
なお、閲覧履歴データの各閲覧者の評価Ｄ２４７に設定されたランクデータを利用して、評価情報入力欄Ｗ５２１３に最大のランクデータを初期表示するように閲覧履歴表示画面表示の処理（Ｓ５２２）を構成する。
【０２２７】
なお、知財管理者が権利情報に対する評価文書データを入力可能なように、評価文書入力画面を別途準備し、当該評価文書入力画面に入力された情報に基づいて処理を行うプログラムを履歴画面表示処理部５２と閲覧履歴管理部３２に備え、当該評価文書入力画面を起動する評価文書入力欄Ｗ５２１４を備えても構わない。
【０２２８】
ただし、当該評価文書入力画面から入力された知財部評価文書データを設定可能にするために、上述の実施形態の説明で利用した図８に示すように、知財部評価文書Ｄ２４９の項目を備えるよう閲覧履歴情報テーブルＤ２４のデータ構造を構成する必要があることはいうまでもないであろう。
【０２２９】
さらに、権利情報の詳細を即座に確認することができるように、権利情報データの権利情報詳細表示画面を別途準備し、当該権利情報詳細表示画面に表示される情報に基づいて処理を行うプログラムを履歴画面表示処理部５２と閲覧履歴管理部３２に準備し、当該権利情報詳細表示画面を起動する権利情報詳細表示画面起動ボタンＷ５２１２を備えても構わない。
【０２３０】
さらに、知財管理者がどの権利情報の閲覧履歴を確認しているかが即座にわかるように、閲覧履歴データの公報番号Ｄ２４１に関連付けられた権利情報データに設定された種別Ｄ２１２や区分Ｄ２１３を表示する、基本情報表示欄を閲覧履歴表示画面Ｗ５２１に備えるようにしても構わない。
【０２３１】
ただし、この場合、閲覧履歴データの公報番号Ｄ２４１に関連付けられた権利情報データを権利情報テーブルＤ２１から取得するように、終了済閲覧履歴情報取得の処理（Ｓ３２４）する必要があることは、いうまでもないであろう。
【０２３２】
さらに、評価対象とする権利情報の回覧状況のみを即座に把握できるように、閲覧履歴表示欄Ｗ５２１１の内容から、回覧者名と評価入力の有無と閲覧終了日付のみを拡大して表示する回覧状況表示欄を閲覧履歴表示画面Ｗ５２１に備えるようにし、回覧状況表示欄にデータ表示するよう閲覧履歴表示画面表示の処理（Ｓ５２２）を構成しても構わない。
【０２３３】
続いて、知財管理者は、閲覧履歴表示画面Ｗ５２１に表示された内容を確認し、各権利情報に対する評価情報を評価情報入力欄Ｗ５２１３に入力操作する（Ｃ５２２）。
【０２３４】
続いて、知財管理者が、評価入力を終了して評価終了通知ボタンＷ５２１７を押下すると（Ｃ５２３）、歴画面表示処理部プログラムＳ５２が評価終了通知の処理（Ｓ５２３）を実行するよう構成する。
【０２３５】
評価終了通知の処理（Ｓ５２３）は、上述の実施形態の説明で利用した図８に示すように、閲覧履歴表示画面Ｗ５２１に表示された閲覧履歴データの知財部評価Ｄ２４２に、評価情報入力欄Ｗ５２１３に入力された評価情報のランクデータを設定する。
【０２３６】
さらに、評価終了通知の処理（Ｓ５２３）は、閲覧履歴表示画面Ｗ５２１に利用可能に表示された知財管理者名を取得して、知財部担当者Ｄ２４４に設定し、知財部確認日付Ｄ２４５に評価終了を入力操作した日付を設定する。
【０２３７】
なお、上述のように、知財管理者による評価文書の入力操作が可能な場合は、知財部評価文書Ｄ２４３に、当該入力された評価文書データを設定する必要があることはいうまでもないであろう。
【０２３８】
さらに、評価終了通知の処理（Ｓ５２３）は、知財管理者により入力操作された評価情報が設定された当該閲覧履歴データを、サーバ３の閲覧履歴管理部３２の閲覧履歴管理部プログラムＳ３２に送信することにより、知財管理者による評価入力操作が終了したことを通知するよう構成する。
【０２３９】
続いて、サーバ３の閲覧履歴管理部３２の閲覧履歴管理部プログラムＳ３２は、知財管理者による評価入力操作の終了通知を受信すると、閲覧履歴更新の処理（Ｓ３２５）を実行するよう構成する。
【０２４０】
閲覧履歴更新の処理（Ｓ３２５）は、受信した閲覧履歴データに該当する閲覧履歴情報テーブルＤ２４の閲覧履歴データを更新するように構成する。
【０２４１】
以下では、前記管理者による評価情報入力欄Ｗ５２１３に、何れかの閲覧者による評価文書データＤ２４９の入力の有無の識別情報が表示されるように構成されている閲覧システム１について、上述の構成例と実施形態に基づいて説明する。
【０２４２】
上述の実施形態の説明で利用した図１６に示すように、閲覧履歴表示画面Ｗ５２１は、何れかの閲覧者による評価文書データＤ２４９の入力の有無の識別情報を表示する閲覧者評価文書有無識別欄Ｗ５２１５を備えるようにする。
【０２４３】
さらに、上述の閲覧履歴表示画面表示の処理（Ｓ５２２）において、閲覧履歴表示画面Ｗ５２１に表示する閲覧履歴データの各閲覧者の評価文書Ｄ２４９に設定されているデータを確認し、いずれかの閲覧者の評価文書Ｄ２４９にデータが設定されている場合は、たとえば、閲覧者評価文書有無識別欄Ｗ５２１５にボタン部品を表示するように構成する。
【０２４４】
さらに、評価文書内容を表示する閲覧者評価文書表示画面を、履歴画面表示処理部５２に準備し、上述の閲覧者評価文書有無識別欄Ｗ５２１５に表示されたボタン部品が押下された場合は、当該閲覧者評価文書表示画面に閲覧履歴データの各閲覧者の評価文書Ｄ２４９に設定されたデータを表示するよう、履歴画面表示処理部５２の履歴画面表示処理部プログラムＳ５２を構成する。
【０２４５】
なお、たとえば、閲覧履歴表示画面Ｗ５２１にデータを表示する領域が余分にある場合は、上述のように、閲覧者評価文書有無識別欄Ｗ５２１５にボタン部品を表示する代わりに、設定された評価文書内容を全て表示するようにしても構わない。
【０２４６】
また、上述のように、閲覧者が評価情報を入力する場合に、権利情報の関連情報が記載された電子ファイルを添付可能なように構成する場合は、知財管理者が当該添付ファイル内容を確認できるように、閲覧者による添付ファイルの入力の有無の識別情報を表示する閲覧者添付ファイル有無識別欄Ｗ５２１６を閲覧履歴表示画面Ｗ５２１に備えるよう構成しても構わない。
【０２４７】
この場合、たとえば、何れかの閲覧者が電子ファイルを添付した場合は、ボタン部品を閲覧者添付ファイル有無識別欄Ｗ５２１６に表示し、当該閲覧者添付ファイル有無識別欄Ｗ５２１６のボタン部品が押下されたときに、閲覧履歴データの各閲覧者の添付ファイルＤ２４０に設定されたデータをダイアログ画面に表示するなど、履歴画面表示処理部５２の履歴画面表示処理部プログラムＳ５２の改修が必要であることはいうまでもないであろう。
【０２４８】
以下では、上述の閲覧システム１に接続可能なデータベースサーバ３の実施形態について説明する。
【０２４９】
上述の実施形態において説明したデータベースサーバ３は、データベース２で管理されるデータテーブルのデータに、データベースインタフェース３３を介してアクセスするように構成することを説明した。
【０２５０】
この場合、データベース２は、ネットワーク７に接続された別のコンピュータに構成しても構わないし、データベースサーバ３と同じコンピュータ内に構成しても構わない。
【０２５１】
ネットワーク７に接続された別のコンピュータにデータベース２を構成した場合は、データベースインタフェース３３がネットワーク７を介して、データベース２で管理されるデータテーブルのデータにアクセスするように構成する必要がある。
【０２５２】
データベースサーバ３と同じコンピュータ内にデータベース２を構成した場合は、データベースインタフェース３３がネットワーク７を介さずに、データベース２で管理されるデータテーブルのデータにアクセスするように構成する必要がある。
【０２５３】
以下では、上述の閲覧システム１に接続可能な閲覧者用のクライアント４の実施形態について説明する。
【０２５４】
上述の実施形態において説明した閲覧者用のクライアント４は、サーバ３のデータベースインタフェース３３を介して、データベース２に備えられているデータテーブルのデータにアクセス可能に構成されているが、サーバ３のデータベースインタフェース３３と同じ構成のデータベースインタフェースを、閲覧クライアント４に構成しても構わない。
【０２５５】
この場合、閲覧クライアント４は、当該クライアント内に備えているデータベースインタフェース３３を利用して、データベース２で管理されるデータテーブルのデータにアクセス可能となる。
【０２５６】
さらに、閲覧クライアント４の閲覧処理部４１と閲覧進捗管理部４２と閲覧終了入力部４３を、サーバ３に備えるように構成することにより、閲覧クライアント４とサーバ３が一体化したスタンドアロン型の閲覧システムとして構成しても構わない。
【０２５７】
以下では、上述の閲覧システム１に接続可能な管理者用のクライアント５の実施形態について説明する。
【０２５８】
上述の実施形態で説明した管理者用のクライアント５は、文書登録部５１と履歴画面表示処理部５２を備えている。しかし、履歴画面表示処理部５２のみを備えるようにしても構わない。また、閲覧クライアント４の閲覧処理部４１と閲覧進捗管理部４２と閲覧終了入力部４３を備え、閲覧クライアントとして利用できるようにしても構わない。
【０２５９】
さらに、管理者用のクライアント５は、検索用コンピュータ６の検索実行部６１とメディアドライブ６２とメディアドライブ６２にアクセスするためのインタフェース部を備え、検索用コンピュータとして利用できるように構成しても構わない。
【０２６０】
さらに、管理者用のクライアント５の文書登録部５１をサーバ３に備えるように構成することにより、管理者用のクライアント５とサーバ３が一体化したスタンドアロン型システムとして構成しても構わない。
【０２６１】
以下、別実施形態について説明する。
【０２６２】
上述の実施形態の図１３に示した閲覧者用データ取得の処理（Ｓ４１１）では、当該閲覧者の閲覧情報データと、閲覧情報データに関連付けられる権利情報データのみを取得していたが、さらに、権利情報データに関連付けられた閲覧履歴データを閲覧履歴情報テーブルＤ２４から取得するように改修しても構わない。
【０２６３】
この場合、図９（ａ）に示すように、詳細表示画面Ｗ４１４に閲覧操作を実施中の閲覧者とは他の閲覧者の閲覧履歴を、同時に表示することができるようになる。したがって、当該閲覧者は、他の閲覧者の評価内容を確認して、より適切な評価情報を入力することができるようになる。
【０２６４】
また、上述の実施形態では、一覧表示画面Ｗ４１３の権利情報一覧表示欄Ｗ４１３２は、閲覧情報データに設定された件名Ｄ２３４を表示する回覧件名表示欄Ｗ４１３１と、当該件名Ｄ２３４と同じ件名が設定された複数の閲覧情報データに設定された公報番号Ｄ２３５と、当該公報番号Ｄ２３５に関連付けられた権利情報データの回答期限Ｄ２１４を組み合わせて表示するよう構成していた。
【０２６５】
しかし、この場合も、閲覧者用データ取得の処理（Ｓ４１１）を、権利情報データに関連付けられた閲覧履歴データを閲覧履歴情報テーブルＤ２４から取得するように構成することにより、当該取得した閲覧履歴データの複数の閲覧者の評価Ｄ２４７のうち、最大のランクデータを権利情報一覧表示欄Ｗ４１３２に表示することができるようになる。
【０２６６】
したがって、閲覧者は、他の閲覧者が評価した結果を確認することが可能であり、ランクデータの大きいものから閲覧作業を開始することができるようになる。したがって、ランクデータの大きい権利情報の回覧が早期に終了することが期待される。
【０２６７】
さらに、権利情報一覧表示欄Ｗ４１３２に表示されたデータ項目を指定して、指定されたデータ項目の昇順あるいは降順で並び替えて表示することを可能にし、どの権利情報から閲覧作業を着手すべきかを閲覧者が選択可能なようにしても構わない。
【０２６８】
ただし、この場合、並び替えるためのデータ項目を指定する処理や、当該指定されたデータ項目の照準あるいは降順で並び替える処理が可能なように閲覧処理部プログラムＳ４１を構成する必要があることはいうまでもないであろう。
【０２６９】
上述の実施形態で、閲覧履歴表示画面Ｗ５２１の評価情報入力欄Ｗ５２１３には、閲覧履歴データの各閲覧者の評価Ｄ２４７に設定されたランクデータを利用して、最大のランクデータを初期表示するように構成していた。
【０２７０】
さらに、履歴画面表示処理部プログラムＳ５２を改修し、上述の初期表示されるランクデータの昇順あるいは降順に、権利情報を表示するようにしても構わない。
【０２７１】
この場合、知財管理者は、即座にランクデータの大きい権利情報から順番に対処することができるようになる。
【０２７２】
また、上述の実施形態では、閲覧履歴情報テーブルＤ２４と閲覧者個別情報テーブルＤ２３で重複して設定されるデータがあった。そこで、データベース２に蓄積されるデータの容量を削減するために、閲覧履歴情報テーブルＤ２４の閲覧者Ｄ２４５と閲覧者個別情報テーブルＤ２３の閲覧者Ｄ２３１、閲覧履歴情報テーブルＤ２４の公報番号Ｄ２４１と閲覧者個別情報テーブルＤ２３の公報番号Ｄ２３５とを関連付けるようにして、重複するデータを削除しても構わない。
【０２７３】
ただし、この場合、閲覧履歴情報テーブルＤ２４にアクセスすると同時に、関連付けられた閲覧情報データにもアクセスするよう閲覧履歴管理部プログラム３２あるいは閲覧要求部プログラムＳ３１を構成する必要があることはいうまでもないであろう。
【０２７４】
また、上述の実施形態では、閲覧処理部プログラムＳ４１、文書登録部プログラムＳ５１、検索実行部プログラムＳ６１、履歴画面表示処理部プログラムＳ５２は、それぞれ、閲覧クライアント４、管理クライアント５、検索用コンピュータ６、管理クライアント５に構成していた。
【０２７５】
しかし、これらのプログラムは、各クライアントに表示される画面の入出力操作や表示等の画面動作に直接関連する処理と、当該画面動作に直接関連する処理に入出力されるデータの編集処理と、に分離して構成しても構わない。
【０２７６】
この場合、当該入出力されるデータの編集処理のみをサーバ３に備えるよう構成し、サーバ３をＷｅｂアプリケーションサーバとして構成することにより、Ｗｅｂシステムとして構成できるようになる。ただし、このとき、クライアント側に備えられた画面動作に直接関連する処理と、サーバ側に備えられたデータの編集処理の間で、ネットワーク７を介して、ＨＴＴＰプロトコルによるデータ通信が行えるよう構成する必要があることはいうまでもないであろう。
【０２７７】
つまり、知的財産に関する複数の権利情報が蓄積され、一または複数の前記権利情報毎にアクセス可能な閲覧者が設定された回覧情報テーブルを備えるデータベースと、回覧情報テーブルに設定された閲覧者のクライアントに権利情報の閲覧要求を出力する閲覧要求部と、閲覧要求に対する閲覧者の閲覧履歴を管理する閲覧履歴管理部と、閲覧要求部からの閲覧要求に基づいて、データベースに蓄積された権利情報を閲覧操作し、各権利情報に対する評価情報を入力するための閲覧操作画面を生成する閲覧処理部と、当該閲覧操作画面を介した閲覧終了入力操作に基づいて閲覧履歴管理部に閲覧終了通知を出力する閲覧進捗管理部を備えたデータベースサーバと、前記閲覧処理部により生成された閲覧操作画面を表示するとともに、当該閲覧操作画面を介した閲覧終了入力操作がなされたことを閲覧進捗管理部に出力する入出力処理部を備えたクライアントがネットワーク接続された閲覧システムが構築される。
【０２７８】
また、作業効率を向上させるために、サーバ３の閲覧要求部３１と閲覧履歴管理部３２とデータベースインタフェース３３の３つの構成要素と、閲覧クライアント４の閲覧処理部４１と閲覧進捗管理部４２と閲覧終了入力部４３の３つの構成要素と、管理クライアント５の文書登録部５１と履歴画面表示処理部５２の２つの構成要素と、検索用コンピュータ６の検索実行部６１とメディアドライブ６２とメディアドライブにアクセスするためのインタフェース部の３つの構成要素を、それぞれ組み合わせて特定のコンピュータに一体化して構成することにより、上述の実施形態とは別のシステム構成としても構わないことは言うまでもないであろう。
【０２７９】
以上説明した閲覧システムでは、データベースに権利情報として特許権に関する情報が蓄積される場合を説明したが、本発明による閲覧システムが対象とする権利情報は、特許情報に限るものではなく、実用新案権、意匠権、商標権、半導体回路配置権など、データベースとして管理して閲覧可能な知的財産権情報に広く利用することができる。
【０２８０】
以上説明した実施形態は、本発明の一例に過ぎず、本発明の作用効果を奏する範囲において各ブロックの具体的構成等を適宜変更設計できることは言うまでもない。
【図面の簡単な説明】
【０２８１】
【図１】本発明を適用した閲覧システムのブロック構成図
【図２】ＣＤ−ＲＯＭ公報から検索式に該当する権利情報の電子データファイルを抽出する動作を説明するための処理フロー図
【図３】権利情報をデータベースに登録する動作を説明するための処理フロー図
【図４】（ａ）は、権利情報テーブルに設定される権利情報データを示し、（ｂ）は、回覧情報テーブルに設定される回覧情報データを示す、データ構造図
【図５】権利情報の閲覧要求を出力する動作を説明する処理フロー図
【図６】（ａ）は、閲覧前を示し、（ｂ）は、閲覧終了後を示す、閲覧個別情報テーブルに設定される閲覧情報データのデータ構造図
【図７】権利情報の閲覧の動作を説明するための処理フロー図
【図８】履歴管理情報テーブルに設定される閲覧履歴データのデータ構造図
【図９】（ａ）は、評価用閲覧操作画面を示し、（ｂ）は、評価情報未入力のまま閲覧終了した場合に表示される警告画面を示す、外観図
【図１０】概要表示画面の外観図
【図１１】閲覧クライアントと管理クライアントのブロック構成図
【図１２】一覧表示画面の外観図
【図１３】一覧表示画面と詳細表示画面を利用した権利情報の閲覧の動作を説明するための処理フロー図
【図１４】概要表示画面を利用した権利情報の閲覧の動作を説明するための処理フロー図
【図１５】閲覧履歴表示画面を利用した権利情報の評価入力の動作を説明するための処理フロー図
【図１６】閲覧履歴表示画面の外観図
【符号の説明】
【０２８２】
１：閲覧システム
２：データベース
３：データベースサーバ（サーバ）
４：閲覧者のクライアント（閲覧クライアント）
５：管理者用のクライアント（管理クライアント）
６：検索用コンピュータ
７：ネットワーク
３１：閲覧要求部
３２：閲覧履歴管理部
４１：閲覧処理部
４２：閲覧進捗管理部
４３：閲覧終了入力部
５１：文書登録部
５２：履歴画面表示処理部
６１：検索実行部
Ｄ２１：権利情報テーブル
Ｄ２２：閲覧者情報テーブル
Ｄ２３：閲覧者個別情報テーブル
Ｄ２３４：件名（閲覧個別情報テーブル）
Ｄ２３５：公報番号（閲覧個別情報テーブル）
Ｄ２３６：閲覧属性（閲覧個別情報テーブル）
Ｄ２３７：評価文書データ（閲覧個別情報テーブル）
Ｄ２３８：閲覧終了の入力時期（閲覧個別情報テーブル）
Ｄ２４：閲覧履歴情報テーブル
Ｄ２４１：公報番号（閲覧履歴情報テーブル）
Ｄ２４２：知財部評価（閲覧履歴情報テーブル）
Ｄ２４３：知財部評価文書（閲覧履歴情報テーブル）
Ｄ２４５：知財部確認日付（閲覧履歴情報テーブル）
Ｄ２４７：評価（閲覧履歴情報テーブル）
Ｄ２４８：閲覧終了の入力時期（閲覧履歴情報テーブル）
Ｄ２４９：評価文書データ（閲覧履歴情報テーブル）
Ｄ２５：回覧情報テーブル
Ｄ２５５：閲覧属性（回覧情報テーブル）
Ｗ４１１：評価用閲覧操作画面
Ｗ４１２：評価情報が入力不可能な閲覧操作画面（閲覧用閲覧操作画面）
Ｗ４１３：一覧表示画面
Ｗ４１３１：回覧件名表示欄（一覧表示画面）
Ｗ４１３２：権利情報一覧表示欄（一覧表示画面）
Ｗ４１４：詳細表示画面
Ｗ４１４１：詳細情報表示欄（詳細表示画面）
Ｗ４１４２：評価情報の入力欄（詳細表示画面）
Ｗ４１５：概要表示画面
Ｗ４１５１：概要表示欄（概要表示画面）
Ｗ４３１：画面部品（閲覧終了入力部）
Ｗ４３１１：閲覧終了通知ボタン（評価用閲覧操作画面、詳細表示画面）
Ｗ４３１２：閲覧終了通知ボタン（閲覧用閲覧操作画面、概要表示画面）
Ｗ４３１３：一括閲覧終了通知ボタン（概要表示画面）
Ｗ５２１：閲覧履歴表示画面
Ｗ５２１１：閲覧履歴表示欄（閲覧履歴表示画面）
Ｗ５２１３：評価情報入力欄（閲覧履歴表示画面）
Ｗ５２１４：評価文書入力欄（閲覧履歴表示画面）
【図１】
2009276885.tif 000003
【図２】
2009276885.tif 000004
【図３】
2009276885.tif 000005
【図４】
2009276885.tif 000006
【図５】
2009276885.tif 000007
【図６】
2009276885.tif 000008
【図７】
2009276885.tif 000009
【図８】
2009276885.tif 000010
【図９】
2009276885.tif 000011
【図１０】
2009276885.tif 000012
【図１１】
2009276885.tif 000013
【図１２】
2009276885.tif 000014
【図１３】
2009276885.tif 000015
【図１４】
2009276885.tif 000016
【図１５】
2009276885.tif 000017
【図１６】
2009276885.tif 000018